(57)【特許請求の範囲】
【請求項１】
信号フレームに含まれる同期シーケンスから、前記信号フレームを同期させるようになっている受信機へ、電気通信システムの送信機によって送信される、信号フレームを同期させるための方法であって、
前記送信機によって実行されるように意図される同期シーケンス生成ステップ（１００）であって、その過程において、前記同期シーケンス（ｘi（ｋ））がＬ個の相補シーケンスの第１のバースト及び第２のバーストを連結することによって形成され、前記Ｌ個のシーケンスの第１のバーストは、一対の相補シーケンス（（Ａ，Ｂ））の第１のＮ個のパルスの相補シーケンス（Ａ）をＬ回連結することによって得られ、前記Ｌ個のシーケンスの第２のバーストは、前記一対の相補シーケンスの第２のＮ個のパルスの相補シーケンス（Ｂ）をＬ回連結することによって得られる、同期シーケンス生成ステップ（１００）と、
前記送信機によって実行されるように意図されるシーケンス重み付けステップ（２００）であって、その過程において、前記Ｌ個のシーケンスの第１のバーストのランクｑの各相補シーケンス（Ａ）の前記パルスに、前記受信機（ＲＣＤ）によって前もって知られている一組のＩ個の重み付け符号に属するＬ個の成分の長さの重み付け符号（ＭＣi）のランクｑの成分が乗算され、前記Ｌ個のシーケンスの第２のバーストのランクｑの各シーケンスの前記パルスに、前記重み付け符号（ＭＣi）のランクｑの同じ成分が乗算される、シーケンス重み付けステップ（２００）と
を含む、方法において、
前記同期シーケンス生成ステップ（１００）の過程において、
前記第１の相補シーケンス又は前記第２の相補シーケンスのいずれかのＷビット長の巡回拡張部によって定義される、少なくとも１つのガードインターバルが、前記同期シーケンス（ｘi（ｋ））に含められ、
前記少なくとも１つのガードインターバルが前記第１の相補シーケンス（Ａ）から定義される場合には、前記少なくとも１つのガードインターバルは前記Ｌ個のシーケンスの第１のバーストの開始部又は終了部のいずれかに配置され、
前記少なくとも１つのガードインターバルが前記第２の相補シーケンス（Ｂ）から定義される場合には、前記少なくとも１つのガードインターバルは前記Ｌ個のシーケンスの第２のバーストの開始部又は終了部のいずれかに配置される
ことを特徴とする、同期させるための方法。
【請求項２】
２つのガードインターバル（ΔLeA、ΔRiA）が、前記第１の相補シーケンス（Ａ）のＷビット長の巡回拡張部によって定義され、
前記ガードインターバルの一方（ΔLeA）は、前記Ｌ個のシーケンスの第１のバーストの開始部に配置され、他方（ΔRiA）は、前記Ｌ個のシーケンスの第１のバーストの終了部に配置され、
２つのガードインターバル（ΔLeB、ΔRiB）が、前記第２の相補シーケンス（Ｂ）のＷビット長の巡回拡張部によって定義され、
前記ガードインターバルの一方（ΔLeB）は、前記Ｌ個のシーケンスの第２のバーストの開始部に配置され、他方（ΔRiB）は、前記Ｌ個のシーケンスの第２のバーストの終了部に配置される
ことを特徴とする、請求項１に記載の同期させるための方法。
【請求項３】
前記一組のＩ個の重み付け符号は、高速変換が得られる一組の直交符号であることを特徴とする、請求項１または２に記載の同期させるための方法。
【請求項４】
各重み付け符号はアダマール符号であることを特徴とする、請求項３に記載の同期させるための方法。
【請求項５】
各重み付け符号はフーリエ符号であることを特徴とする、請求項３に記載の同期させるための方法。
【請求項６】
前記重み付け符号には、同じスクランブル符号が乗算されることを特徴とする、請求項３〜５のいずれか一項に記載の同期させるための方法。
【請求項７】
前記スクランブル符号はバーカー符号であることを特徴とする、請求項６に記載の同期させるための方法。
【請求項８】
前記受信機は、前記信号フレームを受信するようにそれぞれ意図される少なくとも１つのアンテナを装備し、
前記方法は、
前記少なくとも１つのアンテナ（ＲＡＮＴs）のそれぞれについて、結果ストリーム計算ステップ（３００s）であって、
その過程において、少なくとも１つの結果ストリームが、前記アンテナ（ＲＡＮＴs）により受信中の前記信号から得られ、
少なくとも１つの時間シフトサブステップ（３０１s）であって、そのそれぞれの過程において、前記受信信号の時間遅延されたバージョンが計算される、少なくとも１つの時間シフトサブステップ（３０１s）と、
少なくとも１つの第１のシーケンス相関サブステップ（３０２s）であって、そのそれぞれの過程において、第１の相関ストリームが、前記受信信号の前記時間遅延されたバージョンを、前記一対の相補シーケンス（Ａ，Ｂ）のうちの前記第１の相補シーケンス（Ａ）の複製と相関させることにより計算される、少なくとも１つの第１のシーケンス相関サブステップ（３０２s）と、
少なくとも１つの第２のシーケンス相関サブステップ（３０３s）であって、そのそれぞれの過程において、第２の相関ストリームが、前記受信信号を、前記一対の相補シーケンス（Ａ，Ｂ）のうちの前記第２の相補シーケンス（Ｂ）の複製と相関させることにより計算される、少なくとも１つの第２のシーケンス相関サブステップ（３０３s）と、
少なくとも１つのストリーム合計サブステップ（３０４s）であって、そのそれぞれの過程において、結果ストリームが、前記第１の相関ストリーム及び前記第２の相関ストリームから形成される、少なくとも１つのストリーム合計サブステップ（３０４s）と
を含む
結果ストリーム計算ステップ（３００s）と、
出力ストリーム計算ステップ（４００）であって、その過程において、少なくとも１つの出力ストリームが、前記少なくとも１つの結果ストリームのそれぞれについて得られる、出力ストリーム計算ステップ（４００）と、
時刻決定及び重み付け符号取り出しステップ（５００）であって、その過程において、
一時刻における少なくとも１つの判定値が、前記少なくとも１つの出力ストリームから計算され、
次に、受信中の前記信号フレームが前記時間同期される時刻（ｋbest）が、前記少なくとも１の判定値を最大にすることによって得られ、
前記受信同期シーケンスによって運ばれた重み付け符号
【数１】
0005208440.tif 000082
が、前記最大の判定値から得られた前記結果ストリームの少なくとも１つの、互いにＮ個の位置だけ隔てられたＬ個のピークから取り出され、
前記少なくとも１つの結果ストリームのそれぞれの、前記Ｌ個のピークの最初のものは、前記信号フレームが前記時間同期される前記時刻（ｋbest）に配置されている
時刻決定及び重み付け符号取り出しステップ（５００）と
をさらに含むことを特徴とする、請求項１〜７のいずれか一項に記載の同期させるための方法。
【請求項９】
前記少なくとも１つの結果ストリーム計算ステップ（３００s）は、
単一の時間シフトサブステップ（３０１s）であって、その過程において、前記受信信号の時間遅延されたバージョンが計算される、単一の時間シフトサブステップ（３０１s）と、
単一の第１のシーケンス相関サブステップ（３０２s）であって、その過程において、第１の相関ストリーム（ｙA,s（ｋ））が、前記受信信号の前記時間遅延されたバージョンを、前記一対の相補シーケンス（Ａ，Ｂ）のうちの前記第１の相補シーケンス（Ａ）の複製と相関させることにより計算される、単一の第１のシーケンス相関サブステップ（３０２s）と、
単一の第２のシーケンス相関サブステップ（３０３s）であって、その過程において、第２の相関ストリーム（ｙB,s（ｋ））が、前記受信信号を、前記一対の相補シーケンス（Ａ，Ｂ）のうちの前記第２の相補シーケンス（Ｂ）の複製と相関させることにより計算される、単一の第２のシーケンス相関サブステップ（３０３s）と、
単一のストリーム合計サブステップ（３０４s）であって、その過程において、結果ストリーム（ｒs（ｋ））が、前記第１の相関ストリーム（ｙA,s（ｋ））及び前記第２の相関ストリーム（ｙB,s（ｋ））を合計することによって形成される、単一のストリーム合計サブステップ（３０４s）と
を含むことを特徴とする、請求項８に記載の同期させるための方法。
【請求項１０】
Ｍ個の周波数オフセット値が、前記受信機によって、可能な周波数ドリフトの範囲からあらかじめ定められ、
前記少なくとも１つの結果ストリーム計算ステップ（３００s）は、
単一の時間シフトサブステップ（３０１s）であって、その過程において、前記受信信号の時間遅延されたバージョンが計算される、単一の時間シフトサブステップ（３０１s）と、
単一の第１のシーケンス相関サブステップ（３０２s）であって、その過程において、第１の相関ストリーム（ｙA,s（ｋ））が、前記受信信号の前記時間遅延されたバージョンを、前記一対の相補シーケンス（Ａ，Ｂ）のうちの前記第１の相補シーケンス（Ａ）の複製と相関させることにより計算される、単一の第１のシーケンス相関サブステップ（３０２s）と、
単一の第２のシーケンス相関サブステップ（３０３s）であって、その過程において、第２の相関ストリーム（ｙB,s（ｋ））が、前記受信信号を、前記一対の相補シーケンス（Ａ，Ｂ）のうちの前記第２の相補シーケンス（Ｂ）の複製と相関させることにより計算される、単一の第２のシーケンス相関サブステップ（３０３s）と、
Ｍ個の粗いシーケンスごとの周波数補正サブステップ（３０５s,m）であって、そのそれぞれの過程において、同じ相補シーケンスに関係する前記第２の相関ストリーム（ｙB,s（ｋ））のパルスの位相が、前記Ｍ個の周波数オフセット値の１つに関係する定数値（ΔΦm）だけ補正される、Ｍ個の粗いシーケンスごとの周波数補正サブステップ（３０５s,m）と、
Ｍ個のストリーム合計サブステップ（３０４s,m）であって、そのそれぞれの過程において、結果ストリーム（ｒs,m（ｋ））が、前記第１の相関ストリーム（ｙA,s（ｋ））と、前記Ｍ個の補正された第２の相関ストリーム（ｙB,s,m（ｋ））の１つとを合計することによって形成される、Ｍ個のストリーム合計サブステップ（３０４s,m）と
を含むことを特徴とする、請求項８に記載の同期させるための方法。
【請求項１１】
Ｍ個の周波数オフセット値が、前記受信機によって、可能な周波数ドリフトの範囲からあらかじめ定められ、
前記少なくとも１つの結果ストリーム計算ステップ（３００s）は、
Ｍ個の粗いパルスごとの周波数補正サブステップ（３０６s,m）であって、そのそれぞれの過程において、前記受信信号の各パルスの位相が、前記Ｍ個の周波数オフセット値の１つに関係付けられている傾き（Δφm）で線形に増加する値だけ補正される、Ｍ個の粗いパルスごとの周波数補正サブステップ（３０６s,m）と、
Ｍ個の時間シフトサブステップ（３０１s,m）であって、そのそれぞれの過程において、前記Ｍ個の位相補正された受信信号（ｙs,m（ｋ））の１つの時間遅延されたバージョンが計算される、Ｍ個の時間シフトサブステップ（３０１s,m）と、
Ｍ個の第１のシーケンス相関サブステップ（３０２s,m）であって、そのそれぞれの過程において、第１の相関ストリーム（ｙA,s,m（ｋ））が、前記Ｍ個の位相補正された受信信号の１つの前記時間遅延されたバージョンを、前記一対の相補シーケンス（Ａ，Ｂ）のうちの前記第１の相補シーケンス（Ａ）の複製と相関させることにより計算される、Ｍ個の第１のシーケンス相関サブステップ（３０２s,m）と、
Ｍ個の第２のシーケンス相関サブステップ（３０３s,m）であって、そのそれぞれの過程において、第２の相関ストリーム（ｙB,s,m（ｋ））が、前記Ｍ個の位相補正された受信信号（ｙs,m（ｋ））の１つを、前記一対の相補シーケンス（Ａ，Ｂ）のうちの前記第２の相補シーケンス（Ｂ）の複製と相関させることにより計算される、Ｍ個の第２のシーケンス相関サブステップ（３０３s,m）と、
Ｍ個のストリーム合計サブステップ（３０４s,m）であって、そのそれぞれの過程において、結果ストリーム（ｒs,m（ｋ））が、同じ位相補正された受信信号（ｙs,m（ｋ））に関係する、前記Ｍ個の第１の相関ストリーム（ｙA,s,m（ｋ））の１つ及び前記Ｍ個の第２の相関ストリーム（ｙB,s,m（ｋ））の１つから形成される、Ｍ個のストリーム合計サブステップ（３０４s,m）と
含むことを特徴とする、請求項８に記載の同期させるための方法。
【請求項１２】
前記時刻決定及び重み付け符号取り出しステップ（５００）の過程において、判定値が、一時刻において、前記少なくとも１つのアンテナのそれぞれから得られた前記少なくとも１つの出力ストリームのそれぞれについて計算されることを特徴とする、請求項８〜１１のいずれか一項に記載の同期させるための方法。
【請求項１３】
前記時刻決定及び重み付け符号取り出しステップ（５００）の過程において、
判定値が、一時刻において、前記少なくとも１つの出力ストリームの少なくとも１つの結合したものについて計算され、
前記少なくとも１つの結合したもののそれぞれは、前記Ｉ個の重み付け符号の１つ、又は、Ｍ個の周波数オフセットの１つ及び前記Ｉ個の重み付け符号の１つのいずれかに関係付けられ、
前記少なくとも１つの結合したもののそれぞれは、同じ重み付け符号、又は、同じ重み付け符号及び同じ周波数値のいずれかに関係付けられる、前記少なくとも１つのアンテナから得られた出力ストリームのモジュールを２乗したものの合計の平方根によって定義される
ことを特徴とする、請求項８〜１１のいずれか一項に記載の同期させるための方法。
【請求項１４】
前記時刻決定及び重み付け符号取り出しステップ（５００）の過程において、
一出力ストリームに関係する、一時刻において計算された判定値は、前記時刻において評価された、前記出力ストリームのノルムを２乗したものであり、
複数の出力ストリームの結合したものに関係する、一時刻において計算された判定値は、前記時刻において評価された、前記結合された出力ストリームのノルムを２乗したものである
ことを特徴とする、請求項１２又は１３に記載の同期させるための方法。
【請求項１５】
前記時刻決定及び重み付け符号取り出しステップ（５００）の過程において、
一出力ストリームに関係する、一時刻において計算された判定値は、前記出力ストリームの前記時刻におけるエネルギーを、それぞれ前記時刻の前及び後に定義される２つの時間間隔にわたって平均化した前記出力ストリームのエネルギーによって除算した比によって定義される、相関メリット係数であり、
複数の出力ストリームの結合したものに関係する、一時刻において計算された判定値は、前記複数の出力ストリームの結合したものの前記時刻におけるエネルギーを、それぞれ前記時刻の前及び後に定義される２つの時間間隔にわたって平均化した前記複数の出力ストリームの結合したもののエネルギーによって除算した比によって定義される、相関メリット係数である
ことを特徴とする、請求項１２又は１３に記載の同期させるための方法。
【請求項１６】
前記出力ストリーム計算ステップ（４００）の過程において、
Ｉ個の出力ストリーム（ｚjs,m（ｋ））が、前記少なくとも１つの結果ストリームのそれぞれについて得られ、
前記少なくとも１つの結果ストリームの１つに関係する前記Ｉ個の出力ストリームのそれぞれは、所与の時刻において、前記結果ストリームを、前記Ｉ個の重み付け符号の１つに関係するパルスの櫛（ｃｐj）と相関させることにより得られ、
重み付け符号に関係する櫛の各パルスはＮ個の位置だけ互いに隔てられ、前記櫛の各パルスは前記重み付け符号の成分によって重み付けされる
ことを特徴とする、請求項８〜１５のいずれか一項に記載の同期させるための方法。
【請求項１７】
前記一組のＩ個の重み付け符号は、高速変換が得られる一組の直交符号であり、
前記出力ストリーム計算ステップ（４００）の過程において、
Ｉ個の出力ストリーム（ｚjs,m（ｋ））が、前記少なくとも１つの結果ストリームのそれぞれについて得られ、
前記少なくとも１つの結果ストリームのそれぞれに関係する前記Ｉ個の出力ストリームのそれぞれは、Ｎ個の位置だけ互いに隔てられた前記結果ストリームのＬ個のパルスを、前記高速変換で処理することにより得られる
ことを特徴とする、請求項８〜１５のいずれか一項に記載の同期させるための方法。
【請求項１８】
前記出力ストリーム計算ステップ（４００）の過程において、単一の出力ストリーム（ｚs,m（ｋ））が、一時刻において、前記結果ストリームの、Ｎ個の位置だけ互いに隔てられたＬ個のパルスのエネルギーの合計の平方根を計算することにより、前記少なくとも１つの結果ストリームのそれぞれについて得られることを特徴とする、請求項８〜１５のいずれか一項に記載の同期させるための方法。
【請求項１９】
前記Ｉ個の重み付け符号のそれぞれの第１の成分に続く（Ｌ−１）個の成分のそれぞれは、その第１の成分とは異なって符号化され、
前記信号フレームは、場合によっては周波数補正され、
前記最大の判定値から得られ、且つ、前記少なくとも１つのアンテナのそれぞれに関係する、単一の結果ストリーム
【数２】
0005208440.tif 000083
の互いにＮ個の位置だけ隔てられたＬ個のピークが考慮され、
前記Ｌ個のピークの最初のものは、前記信号フレームが時間同期される前記時刻（ｋbest）に位置し、
前記受信信号フレームによって運ばれた前記重み付け符号
【数３】
0005208440.tif 000084
のランクｑの成分のソフト推定値
【数４】
0005208440.tif 000085
が、重み付け値によって、前記少なくとも１つの単一の結果ストリームのランクｑの前記位相回転補正及び振幅補正されたピーク
【数５】
0005208440.tif 000086
の合計の積から得られる
ことを特徴とする、請求項１８に記載の同期させるための方法。
【請求項２０】
ランクｑの前記少なくとも１つのピークの前記位相回転及び前記振幅は、ランクｑの前記少なくとも１つのピークに、前記（Ｌ−１）個のピークに先行する前記ピークの複素共役
【数６】
0005208440.tif 000087
を乗算することによって補正され、
前記重み付け値は、前記少なくとも１つの単一の結果ストリームのそれぞれの前記（Ｌ−１）個のピークに先行するピークの前記モジュールの２乗の合計の平方根であることを特徴とする、請求項１９に記載の同期させるための方法。
【請求項２１】
ランクｑの前記少なくとも１つのピークの前記位相回転及び前記振幅は、ランクｑの前記少なくとも１つのピークに、前記（Ｌ−１）個のピークに先行する前記ピークの複素共役の積を、前記Ｌ個のピークの平均エネルギーの平方根によるそのモジュールにより除算したものを乗算することによって補正され、
前記重み付け値は、前記少なくとも１つの単一の結果ストリームのそれぞれについて得られた前記Ｌ個のピークの平均エネルギーの合計の平方根である
ことを特徴とする、請求項１９に記載の同期させるための方法。
【請求項２２】
前記少なくとも１つのアンテナのそれぞれによって受信される前記信号フレームは、Ｐ個の連続したパスを有するマルチパスチャネル上で送信され、且つ、時間同期されて場合によっては粗く周波数補正され、
前記時刻決定及び重み付け符号取り出しステップ（５００）において、受信信号フレームの各パルスの位相は、傾き
【数７】
0005208440.tif 000088
が、前記少なくとも１つのアンテナのそれぞれについて得られる少なくともＰ個の傾き推定値
【数８】
0005208440.tif 000089
の重み付け平均から得られる、前記傾きで線形に増加する値によって補正され、
前記Ｐ個の傾き推定値のそれぞれは、前記Ｐ個のパス係数の１つの振幅を２乗したものの推定値によって重み付けされ、
前記平均の前記重み付け値は、前記Ｐ個のパス係数の振幅を２乗したものの合計である
ことを特徴とする、請求項８〜２１のいずれか一項に記載の同期させるための方法。
【請求項２３】
パス係数に関係する各傾き推定値は、前記パス係数に関係するシーケンスごとの傾き推定値
【数９】
0005208440.tif 000090
をＮで割った比によって得られ、
前記シーケンスごとの傾き推定値は、
前記受信同期シーケンスの第１の相補シーケンスのセグメントについて第１の時刻（ｌ）において計算された、前記パス係数に関係する第１の相関ファクタ、及び、前記受信同期シーケンスの第２の相補シーケンスのセグメントについて第１の時刻（ｌ）において計算された、前記パス係数に関係する第２の相関ファクタの合計（ＣlA,p,s＋ＣlB,p,s）の位相と、
前記受信同期シーケンスの第１の相補シーケンスのセグメントについて第２の時刻（ｌ−１）において計算された、前記パス係数に関係する第１の相関ファクタ、及び、前記受信同期シーケンスの第２の相補シーケンスのセグメントについて第２の時刻（ｌ−１）において計算された、前記パス係数に関係する第２の相関ファクタの合計（Ｃl-1A,p,s＋Ｃl-1B,p,s）の位相と
の（Ｌ−１）個の差の平均によって定義される
ことを特徴とする、請求項２２に記載の同期させるための方法。
【請求項２４】
前記信号フレームは複数のアンテナから送信され、
前記送信機は、同じ信号フレームを、前記アンテナのそれぞれから、わずかに異なる時間遅延で送信する
ことを特徴とする、請求項１〜２３のいずれか一項に記載の同期させるための方法。
【請求項２５】
前記相補シーケンスはゴーレイシーケンスであることを特徴とする、請求項１〜２４のいずれか一項に記載の同期させるための方法。
【請求項２６】
信号フレームに含まれる同期シーケンスから前記信号フレームを同期させるようになっている受信機へ、前記信号フレームを送信するように意図される、電気通信システムの送信機であって、
前記送信機は、
一対の相補シーケンス（Ａ，Ｂ）を生成するためのパルスジェネレータ（ＳＧＭ）と、
前記一対の相補シーケンス（Ａ，Ｂ）からＬ個のシーケンス（Ａ）の第１のバースト及びＬ個のシーケンス（Ｂ）の第２のバーストを生成するためのバーストクリエータ（ＢＣ）と、
前記Ｌ個のシーケンスの第１のバーストのランクｑの各相補シーケンス（Ａ）のパルスに、Ｌ個の成分の長さの重み付け符号（ＭＣi）のランクｑの成分を乗算するとともに、前記Ｌ個のシーケンスの第２のバーストのランクｑの各シーケンス（Ｂ）のパルスに、前記重み付け符号（ＭＣi）のランクｑの同じ成分を乗算するための乗算器（ＷＧＭ）と
を含む、送信機において、
前記第１の相補シーケンス又は前記第２の相補シーケンスのいずれかのＷビット長の巡回拡張部によって定義される少なくとも１つのガードインターバルが、前記同期シーケンス（ｘi（ｋ））に含まれ、
前記少なくとも１つのガードインターバルが前記第１の相補シーケンス（Ａ）から定義されている場合には、前記少なくとも１つのガードインターバルは前記Ｌ個のシーケンスの第１のバーストの開始部又は終了部のいずれかに配置され、
前記少なくとも１つのガードインターバルが前記第２の相補シーケンス（Ｂ）から定義されている場合には、前記少なくとも１つのガードインターバルは前記Ｌ個のシーケンスの第２のバーストの開始部又は終了部のいずれかに配置される
ことを特徴とする、送信機。
【請求項２７】
前記一組のＩ個の重み付け符号は、高速変換が得られ得る一組の直交符号であることを特徴とする、請求項２６に記載の送信機。
【請求項２８】
各重み付け符号はアダマール符号であることを特徴とする、請求項２７に記載の送信機。
【請求項２９】
各重み付け符号はフーリエ符号であることを特徴とする、請求項２７に記載の送信機。
【請求項３０】
前記重み付け符号には、同じスクランブル符号が乗算されることを特徴とする、請求項２７〜２９のいずれか一項に記載の送信機。
【請求項３１】
前記送信機は、前記信号が送信される複数のアンテナを装備し、
同じ信号が、前記アンテナのそれぞれから、わずかに異なる時間遅延で送信される
ことを特徴とする、請求項２６〜３０のいずれか一項に記載の送信機。
【請求項３２】
受信信号フレームを時間同期及び場合により周波数補正するように意図される、電気通信システムの受信機であって、
前記受信機は、それぞれ前記信号フレームを受信するように意図される、複数のアンテナを装備し、
前記受信機は、
前記複数のアンテナのそれぞれについて、前記複数のアンテナによって受信中の信号から複数の結果ストリームを得るための手段（ＲＳＭ）であって、
前記手段（ＲＳＭ）は、
前記受信信号の時間遅延されたバージョンを計算するための、少なくとも１つの時間シフタ（ＴＳＶ）と、
前記受信信号の前記時間遅延されたバージョンを、前記一対の相補シーケンス（（Ａ，Ｂ））のうちの前記第１の相補シーケンス（Ａ）の複製と相関させるための、少なくとも１つの第１の相関器（ＦＣＳ１）と、
前記受信信号の前記時間遅延されたバージョンを、前記一対の相補シーケンス（（Ａ，Ｂ））の第２の相補シーケンス（Ｂ）の複製と相関させるための、少なくとも１つの第２の相関器（ＦＣＳ２）と、
前記第１の相関ストリーム及び前記第２の相関ストリームからの結果ストリームを形成するための、少なくとも１つの相関ストリーム結合器（ＳＡ）と
を含む、手段（ＲＳＭ）と、
前記複数の結果ストリームのそれぞれについて複数の出力ストリームを得るための、結果ストリーム結合器（ＲＳＣ）と、
時刻決定及び重み付け符号取り出し手段であって、
時刻決定及び重み付け符号取り出し手段において、一時刻における少なくとも１つの判定値が、前記少なくとも１つの出力ストリームから計算され、
次に、受信中の前記信号フレームが前記時間同期される時刻（ｋbest）が、前記少なくとも１の判定値を最大にすることによって得られ、
前記受信同期シーケンスによって運ばれた重み付け符号
【数１０】
0005208440.tif 000091
が、前記最大の判定値から得られた前記結果ストリームの少なくとも１つの、互いにＮ個の位置だけ隔てられたＬ個のピークから取り出され、
前記少なくとも１つの結果ストリームのそれぞれの、前記Ｌ個のピークの最初のものは、前記信号フレームが前記時間同期される前記時刻（ｋbest）に配置されている
時刻決定及び重み付け符号取り出し手段と
を含むことを特徴とする、受信機。
【請求項３３】
前記少なくとも１つの第１の相関器及び第２の相関器（ＦＣＳ１、ＦＣＳ２）は拡張ゴーレイ相関器であることを特徴とする、請求項３２に記載の受信機。
【請求項３４】
同じ相補シーケンスに関係する第２の相関ストリームのパルスの位相を、所定の周波数オフセット値に関係する定数値だけ周波数補正するための手段（ＣＦＭ１）も含むことを特徴とする、請求項３２又は３３に記載の受信機。
【請求項３５】
所定の周波数オフセット値に関係付けられている傾きで線形に増加する値だけ、前記受信信号の各パルスの位相を補正するための手段（ＣＦＭ２）を含むことを特徴とする、請求項３２又は３３に記載の受信機。
【請求項３６】
一出力ストリームに関係する、一時刻において計算された判定値は、前記時刻において評価された、前記一出力ストリームのノルムを２乗したものであり、
複数の出力ストリームの結合したものに関係する、一時刻において計算された判定値は、前記時刻において評価された、前記結合された出力ストリームのノルムを２乗したものである
ことを特徴とする、請求項３２〜３５のいずれか一項に記載の受信機。
【請求項３７】
一出力ストリームに関係する、一時刻において計算された判定値は、前記出力ストリームの前記時刻におけるエネルギーを、それぞれ前記時刻の前及び後で定義される２つの時間間隔にわたって平均化した前記出力ストリームのエネルギーによって除算した比により定義される、相関メリット係数であり、
複数の出力ストリームを結合したものに関係する、一時刻において計算された判定値は、前記複数の出力ストリームを結合したものの前記時刻におけるエネルギーを、それぞれ前記時刻の前及び後で定義される２つの時間間隔にわたって平均化した前記複数の出力ストリームを結合したもののエネルギーによって除算した比により定義される、相関メリット係数である
ことを特徴とする、請求項３２〜３６のいずれか一項に記載の受信機。
【請求項３８】
前記結果ストリーム結合器（ＲＳＣ）は、所与の時刻において、結果ストリームを重み付け符号に関係するパルスの櫛と相関させるようにそれぞれ意図される、一群の相関器（ＣＯｊ）であることを特徴とする、請求項３２〜３７のいずれか一項に記載の受信機。
【請求項３９】
前記一組のＩ個の重み付け符号は、高速変換が得られる一組の直交符号であり、
前記結果ストリーム結合器（ＲＳＣ）は、前記高速変換によって、Ｎ個の位置だけ互いに隔てられた結果ストリームのＬ個のパルスを処理するための手段を含む、請求項３２〜３７のいずれか一項に記載の受信機。
【請求項４０】
前記結果ストリーム結合器（ＲＳＣ）は、前記結果ストリームの、互いにＮ個の位置だけ隔てられたＬ個のパルスのエネルギーの合計の平方根を、一時刻において計算するための手段を含むことを特徴とする、請求項３２〜３７のいずれか一項に記載の受信機。
【請求項４１】
前記Ｉ個の重み付け符号のそれぞれの第１の成分に続く（Ｌ−１）個の成分のそれぞれは、その第１の成分とは異なって符号化され、
前記信号フレームは、場合によっては周波数補正され、
前記最大の判定値から得られ、且つ、前記少なくとも１つのアンテナのそれぞれに関係する、単一の結果ストリームの互いにＮ個の位置だけ隔てられたＬ個のピークが考慮され、
前記Ｌ個のピークの最初のものは、前記信号フレームが時間同期される時刻に位置し、
前記受信機は、前記受信信号フレームによって運ばれた前記重み付け符号のランクｑの成分のソフト推定値を、重み付け値によって、前記少なくとも１つの単一の結果ストリームのランクｑの前記位相回転補正及び振幅補正されたピークの合計の積から得るための手段を含む、重み付け符号取り出し器（ＷＣＲ）をさらに含むことを特徴とする、請求項４０に記載の受信機。
【請求項４２】
前記受信機は、前記少なくとも１つのアンテナのそれぞれについて得られた少なくともＰ個の傾き推定値の重み付け平均から得られる傾きで、線形に増加する値によって、受信信号フレームの各パルスの位相を補正するための手段をさらに含み、
前記Ｐ個の傾き推定値のそれぞれは、前記Ｐ個のパス係数の１つの振幅を２乗したものの推定値によって重み付けされ、
前記平均の前記重み付け値は、前記Ｐ個のパス係数の振幅を２乗したものの合計である
ことを特徴とする、請求項３２〜４１のいずれか一項に記載の受信機。
【請求項４３】
電気通信システムであって、
請求項２６〜３１のいずれか一項に記載の少なくとも１つの送信機を含み、
前記少なくとも１つの送信機は、前記電気通信システムの少なくとも１つの受信機へ信号フレームを送信するように意図される、電気通信システム。
【請求項４４】
前記少なくとも１つの受信機が、請求項３２〜４２のいずれか一項に記載のように規定されることを特徴とする、請求項４３に記載の電気通信システム。
【発明の詳細な説明】
【技術分野】
【０００１】
本発明は、電気通信システムの送信機によって送信された信号フレームを、上記信号フレームに含まれるパルスの同期シーケンスの送信によって受信機端で同期させるための方法に関する。また、本発明は、上記同期シーケンスと、この同期シーケンスのハードウェア指向態様による上記システム並びに当該システムの送信機及び受信機の双方とに関する。
【０００２】
送信機は、上記信号フレームを形成して電気通信システムの受信機へ送信するようになっている基地局、移動電気通信デバイス、又は他の任意の電気通信装置である。
【０００３】
受信機は、信号フレームが受信された時にその信号フレームを同期させるようになっている基地局、移動電気通信デバイス、又は他の任意の電気通信装置である。
【０００４】
信号フレームを同期させることは、このような信号フレームを時間同期させることを意味し、時に、周波数同期させることを意味する。
【０００５】
信号フレームを周波数同期させるということは、周波数ドリフトによって起こり得る受信信号の位相回転がシステム性能に重大な影響を与える場合、すなわち、低コスト周波数発振器が受信機及び／又は送信機に含まれる場合に、この位相回転が補正されることを意味する。これは、以下では、信号フレームの粗い周波数同期を指す。この信号フレームの粗い周波数同期は十分でない場合があり、受信信号が粗い周波数同期によって補正された後に、残余の位相回転が残る場合がある。また、信号フレームの粗い周波数同期は、低位相回転を補正するようになっていない場合もある。したがって、信号フレームを周波数同期させるということは、このような残余の（又は低）位相回転が補正されることも意味する。これは、以下では、信号フレームの精細な周波数同期を指す。
【０００６】
信号フレームを時間同期させるということは、通常、受信機がタイミング基準を得ることができる情報を運ぶ同期シーケンスを信号に含めることによって達成される。受信機は、受信信号がこのような同期シーケンスを運んでいるか否かに気付かず、同期シーケンスがいつ信号フレームに含まれていたかを知らない場合、受信信号をパルスごとに連続してスキャンし、受信信号がこのような同期シーケンスを含んでいる場合に受信信号フレームのタイミング基準を得る。
【０００７】
本発明は、このような同期問題を解決することを目的とする。
【０００８】
信号フレームの時間同期は、本発明によれば、一対の相補シーケンス（Ａ，Ｂ）の完全非周期自己相関特性に基づいている。
【０００９】
相補シーケンスＡは、ａｉ∈｛＋１，−１｝であるようなＮビット長シーケンス｛ａ０，ａ１，…，ａＮ−１｝であり、相補シーケンスＢも、ｂｉ∈｛＋１，−１｝であるようなＮビット長シーケンス｛ｂ０，ｂ１，…，ｂＮ−１｝である。この一対の相補シーケンス（Ａ，Ｂ）の完全非周期自己相関特性は、したがって、
【００１０】
【数１】
0005208440.tif 000002
【００１１】
によって定義される。ここで、ρＡ，Ａ（ｋ）∀ｋ及びρＢ，Ｂ（ｋ）∀ｋは、
【００１２】
【数２】
0005208440.tif 000003
【００１３】
によってそれぞれ定義される、シーケンスＡ及びＢの非周期自己相関である。
【００１４】
シーケンスＡの非周期自己相関ρＡ，Ａ（ｋ）∀ｋ及びシーケンスＢの非周期自己相関ρＢ，Ｂ（ｋ）∀ｋを合計することによって、非周期自己相関ρＡ，Ａ（ｋ＝０）及びρＢ，Ｂ（ｋ＝０）の合計に関係付けられる単一のピークが現れる。他の非周期自己相関ρＡ，Ａ（ｋ）∀ｋ≠０及びρＢ，Ｂ（ｋ）∀ｋ≠０の合計はすべてゼロである。上記単一のピークを検出することによって、信号フレームの正確な時間同期がもたらされる。すなわち、受信機は、この場合、受信中の信号フレームの開始部を画定することができる。
【００１５】
式（１）は、以下で使用される、一対の２極性の相補シーケンスの定義を提供するが、このような定義は、２元的でないシーケンスに容易に一般化できるので、本発明の範囲は、２極性の相補シーケンスに限定されるものではないことに留意されたい。
【００１６】
たとえば、非特許文献１に定義されているゴーレイシーケンスは、このような一対の相補シーケンスの一例である。
【００１７】
【非特許文献１】「Golay Complementary Sequences」（M.G. Parker他著、２００４年６月  M.G. Parker、K.G. Paterson、及びC. Tellambura、Wiley Encyclopedia of Telecommunications, Editor: J.G. Proakis, Wiley Interscience, 2002）
【００１８】
実際には、本発明は、信号フレームに含まれる同期シーケンスから、当該信号フレームを同期させるようになっている受信機へ、電気通信システムの送信機によって送信される、上記信号フレームを同期させるための方法であって、送信機によって実行されるように意図される同期シーケンス生成ステップであって、その過程において、同期シーケンスがＬ個の相補シーケンスの第１のバースト及び第２のバーストを連結することによって形成され、当該Ｌ個のシーケンスの第１のバーストは、一対の相補シーケンスの第１のＮ個のパルスの相補シーケンスをＬ回連結することによって得られ、当該Ｌ個のシーケンスの第２のバーストは、上記一対の相補シーケンスの第２のＮ個のパルスの相補シーケンスをＬ回連結することによって得られる、同期シーケンス生成ステップを含むことを特徴とする方法を提供することを目的とする。
【００１９】
この同期させるための方法は、送信機によって実行されるように意図されるシーケンス重み付けステップであって、その過程において、Ｌ個のシーケンスの第１のバーストのランクｑの各相補シーケンスのパルスに、受信機によって前もって知られている一組のＩ個の重み付け符号に属するＬ個の成分の長さの重み付け符号のランクｑの成分が乗算され、Ｌ個のシーケンスの第２のバーストのランクｑの各シーケンスのパルスに、重み付け符号のランクｑの同じ成分が乗算される、シーケンス重み付けステップをさらに含む。
【００２０】
本発明の１つの利点は、各Ｌ個の長さの成分の重み付け符号が、送信機から受信機へ送信されるべきあらゆる情報を表すことができるということである。たとえば、このような同期方法が携帯電話電気通信システムに含まれる場合、重み付け符号は、識別子等のセルの特性若しくはセルセクタの特性、又は、このようなセルの特性若しくはセルセクタの特性を得ることを可能にする情報を表すことができる。
【００２１】
本発明の一態様によれば、同期シーケンス生成ステップの過程において、第１の相補シーケンス又は第２の相補シーケンスのいずれかのＷビット長の巡回拡張部によって定義される、少なくとも１つのガードインターバルが、同期シーケンスに含められる。上記少なくとも１つのガードインターバルが第１の相補シーケンスから定義される場合には、上記少なくとも１つのガードインターバルはＬ個のシーケンスの第１のバーストの開始部又は終了部のいずれかに配置され、上記少なくとも１つのガードインターバルが第２の相補シーケンスから定義される場合には、上記少なくとも１つのガードインターバルはＬ個のシーケンスの第２のバーストの開始部又は終了部のいずれかに配置される。
【００２２】
同期シーケンス生成ステップの一実施の形態によれば、２つのガードインターバルが、第１の相補シーケンスのＷビット長の巡回拡張部によって定義される。上記ガードインターバルの一方は、Ｌ個のシーケンスの第１のバーストの開始部に配置され、他方は、Ｌ個のシーケンスの第１のバーストの終了部に配置される。さらに、２つのガードインターバルが、第２の相補シーケンスのＷビット長の巡回拡張部によって定義される。ガードインターバルの一方は、Ｌ個のシーケンスの第２のバーストの開始部に配置され、他方は、Ｌ個のシーケンスの第２のバーストの終了部に配置される。
【００２３】
以下では、受信機は、それぞれ上記信号フレームを受信するように意図される少なくとも１つのアンテナを装備するものとみなされる。
【００２４】
本発明の一実施の形態によれば、一組のＩ個の重み付け符号は、高速変換が得られる一組の直交符号である。各重み付け符号は、第１の例によれば、アダマール符号であり、アダマール高速変換が得られる。別の例によれば、各重み付け符号はフーリエ符号であり、高速フーリエ変換が得られる。
【００２５】
直交符号を使用することによって、このような変調符号により運ばれる情報間の直交性が確保される。この特性は、特に、携帯電話電気通信システムの場合、重み付け符号がセルの識別子又はセクタの識別子を表すときに、隣接セル間又は隣接セルセクタ間の直交性が確保されるので、興味深い。
【００２６】
この実施の形態の一変形によれば、重み付け符号には、たとえばバーカー符号である同じスクランブル符号が乗算される。
【００２７】
本発明の別の態様によれば、同期させるための方法は、
上記少なくとも１つのアンテナのそれぞれについて、結果ストリーム計算ステップであって、
その過程において、少なくとも１つの結果ストリームが、アンテナにより受信中の信号から得られ、
少なくとも１つの時間シフトサブステップであって、そのそれぞれの過程において、受信信号の時間遅延されたバージョンが計算される、少なくとも１つの時間シフトサブステップと、
少なくとも１つの第１のシーケンス相関サブステップであって、そのそれぞれの過程において、第１の相関ストリームが、受信信号の時間遅延されたバージョンを、一対の相補シーケンスの第１の相補シーケンスの複製と相関させることにより計算される、少なくとも１つの第１のシーケンス相関サブステップと、
少なくとも１つの第２のシーケンス相関サブステップであって、そのそれぞれの過程において、第２の相関ストリームが、受信信号を、一対の相補シーケンスの第２の相補シーケンスの複製と相関させることにより計算される、少なくとも１つの第２のシーケンス相関サブステップと、
少なくとも１つのストリーム合計サブステップであって、そのそれぞれの過程において、結果ストリームが、第１の相関ストリーム及び第２の相関ストリームから形成される、少なくとも１つのストリーム合計サブステップと
を含む、結果ストリーム計算ステップと
をさらに含むことを特徴とする。
【００２８】
さらに、この同期するための方法はまた、出力ストリーム計算ステップであって、その過程において、少なくとも１つの出力ストリームが、少なくとも１つの結果ストリームのそれぞれについて得られる、出力ストリーム計算ステップと、時刻決定及び重み付け符号取り出しステップであって、その過程において、一時刻における少なくとも１つの判定値が、上記少なくとも１つの出力ストリームから計算される、時刻決定及び重み付け符号取り出しステップとを含む。次に、受信中の信号フレームが上記のように時間同期される時刻が、上記少なくとも１の判定値を最大にすることによって得られ、受信同期シーケンスによって運ばれた重み付け符号が、上記最大の判定値から得られた上記結果ストリームの少なくとも１つの、互いにＮ個の位置だけ隔てられたＬ個のピークから取り出される。上記少なくとも１つの結果ストリームのそれぞれの、上記Ｌ個のピークの最初のものは、信号フレームが上記のように時間同期される時刻に配置されている。
【００２９】
信号フレームが時間同期される単一のピークを運ぶ結果ストリームは、場合によっては、重み付け符号の不良な自己相関特性に起因する２次的なピークを示すことがある。これによって、検出エラー確率が大幅に増加する。この問題に対処するには、上記２次的なピークのノルム（norm）を抑制するためにスクランブル符号を使用することが好都合である。
【００３０】
アンテナに関係する結果ストリーム計算ステップの第１の実施の形態によれば、結果ストリーム計算ステップは、
単一の時間シフトサブステップであって、その過程において、受信信号の時間遅延されたバージョンが計算される、単一の時間シフトサブステップと、
単一の第１のシーケンス相関サブステップであって、その過程において、第１の相関ストリームが、受信信号の時間遅延されたバージョンを、一対の相補シーケンスのうちの第１の相補シーケンスのうちの複製と相関させることにより計算される、単一の第１のシーケンス相関サブステップと、
単一の第２のシーケンス相関サブステップであって、その過程において、第２の相関ストリームが、受信信号を、一対の相補シーケンスのうちの第２の相補シーケンスの複製と相関させることにより計算される、単一の第２のシーケンス相関サブステップと、
単一のストリーム合計サブステップであって、その過程において、結果ストリームが、上記第１の相関ストリーム及び上記第２の相関ストリームを合計することによって形成される、単一のストリーム合計サブステップと
を含む。
【００３１】
アンテナに関係する結果ストリーム計算ステップの第２の実施の形態によれば、Ｍ個の周波数オフセット値が、受信機によって、可能な周波数ドリフトの範囲からあらかじめ定められ、
結果ストリーム計算ステップは、
単一の時間シフトサブステップであって、その過程において、受信信号の時間遅延されたバージョンが計算される、単一の時間シフトサブステップと、
単一の第１のシーケンス相関サブステップであって、その過程において、第１の相関ストリームが、受信信号の時間遅延されたバージョンを、一対の相補シーケンスのうちの第１の相補シーケンスの複製と相関させることにより計算される、単一の第１のシーケンス相関サブステップと、
単一の第２のシーケンス相関サブステップであって、その過程において、第２の相関ストリームが、受信信号を、一対の相補シーケンスのうちの第２の相補シーケンスの複製と相関させることにより計算される、単一の第２のシーケンス相関サブステップと、
Ｍ個の粗いシーケンスごとの周波数補正サブステップであって、そのそれぞれの過程において、同じ相補シーケンスに関係する上記第２の相関ストリームのパルスの位相が、上記Ｍ個の周波数オフセット値の１つに関係する定数値だけ補正される、Ｍ個の粗いシーケンスごとの周波数補正サブステップと、
Ｍ個のストリーム合計サブステップであって、そのそれぞれの過程において、結果ストリームが、第１の相関ストリームと、上記Ｍ個の補正された第２の相関ストリームの１つとを合計することによって形成される、Ｍ個のストリーム合計サブステップと
含む。
【００３２】
この実施の形態は、受信信号全体に対してではなく第２の相関ストリームに対して粗い周波数補正を適用することによって複雑さの低い受信機が提供されるので好都合である。
【００３３】
アンテナに関係する結果ストリーム計算ステップの第３の実施の形態によれば、Ｍ個の周波数オフセット値が、受信機によって、可能な周波数ドリフトの範囲からあらかじめ定められ、
結果ストリーム計算ステップは、
Ｍ個の粗いパルスごとの周波数補正サブステップであって、そのそれぞれの過程において、受信信号の各パルスの位相が、上記Ｍ個の周波数オフセット値の１つに関係付けられている傾きで線形に増加する値だけ補正される、Ｍ個の粗いパルスごとの周波数補正サブステップと、
Ｍ個の時間シフトサブステップであって、そのそれぞれの過程において、上記Ｍ個の位相補正された受信信号の１つの時間遅延されたバージョンが計算される、Ｍ個の時間シフトサブステップと、
Ｍ個の第１のシーケンス相関サブステップであって、そのそれぞれの過程において、第１の相関ストリームが、上記Ｍ個の位相補正された受信信号の１つの時間遅延されたバージョンを、一対の相補シーケンスのうちの第１の相補シーケンスＡの複製と相関させることにより計算される、Ｍ個の第１のシーケンス相関サブステップと、
Ｍ個の第２のシーケンス相関サブステップであって、そのそれぞれの過程において、第２の相関ストリームが、上記Ｍ個の位相補正された受信信号の１つを、一対の相補シーケンスのうちの第２の相補シーケンスの複製と相関させることにより計算される、Ｍ個の第２のシーケンス相関サブステップと、
Ｍ個のストリーム合計サブステップであって、そのそれぞれの過程において、結果ストリームが、同じ位相補正された受信信号に関係する、上記Ｍ個の第１の相関ストリームの１つ及び上記Ｍ個の第２の相関ストリームの１つから形成される、Ｍ個のストリーム合計サブステップと
を含む。
【００３４】
時刻決定及び重み付け符号取り出しステップの第１の実施の形態によれば、判定値が、一時刻において、上記少なくとも１つのアンテナのそれぞれから得られた上記少なくとも１つの出力ストリームのそれぞれについて計算される。
【００３５】
時刻決定及び重み付け符号取り出しステップの第２の実施の形態によれば、判定値が、一時刻において、上記少なくとも１つの出力ストリームの少なくとも１つの結合したものについて計算される。上記少なくとも１つの結合したもののそれぞれは、上記Ｉ個の重み付け符号の１つ、又は、上記Ｍ個の周波数オフセットの１つ及び上記Ｉ個の重み付け符号の１つのいずれかに関係付けられ、少なくとも１つの結合したもののそれぞれは、同じ重み付け符号、又は、同じ重み付け符号及び同じ周波数値のいずれかに関係付けられる上記少なくとも１つのアンテナから得られた出力ストリームのモジュールを２乗したものの合計の平方根によって定義される。
【００３６】
判定値の計算の第１の実施の形態によれば、一出力ストリームに関係する、一時刻において計算された判定値は、上記時刻において評価された、上記出力ストリームのノルムを２乗したものであり、複数の出力ストリームの結合したものに関係する、一時刻において計算された判定値は、上記時刻において評価された、結合された出力ストリームのノルムを２乗したものである。
【００３７】
判定値の計算の第２の実施の形態によれば、一出力ストリームに関係する、一時刻において計算された判定値は、上記出力ストリームの上記時刻におけるエネルギーを、それぞれ上記時刻の前及び後に定義される２つの時間間隔にわたって平均化した上記出力ストリームのエネルギーによって除算した比によって定義される、相関メリット係数であり、
複数の出力ストリームの結合したものに関係する、一時刻において計算された判定値は、上記複数の出力ストリームの結合したものの上記時刻におけるエネルギーを、それぞれ上記時刻の前及び後に定義される２つの時間間隔にわたって平均化した上記複数の出力ストリームの結合したもののエネルギーによって除算した比によって定義される、相関メリット係数である。
【００３８】
出力ストリーム計算ステップの第１の実施の形態によれば、Ｉ個の出力ストリームが、上記少なくとも１つの結果ストリームのそれぞれについて得られ、当該少なくとも１つの結果ストリームの１つに関係する上記Ｉ個の出力ストリームのそれぞれは、所与の時刻において、上記結果ストリームを、上記Ｉ個の重み付け符号の１つに関係するパルスの櫛と相関させることにより得られる。重み付け符号に関係する櫛の各パルスはＮ個の位置だけ互いに隔てられる。さらに上記櫛の各パルスは上記重み付け符号の成分によって重み付けされることを特徴とする。
【００３９】
出力計算ステップの第２の実施の形態によれば、一組のＩ個の重み付け符号は互いに直交であり、高速変換が当該直交重み付け符号に関連して得られ、Ｉ個の出力ストリームが、上記少なくとも１つの結果ストリームのそれぞれについて得られ、上記少なくとも１つの結果ストリームのそれぞれに関係する上記Ｉ個の出力ストリームのそれぞれは、Ｎ個の位置だけ互いに隔てられた上記結果ストリームのＬ個のパルスを、上記高速変換で処理することにより得られる。
【００４０】
出力ストリーム計算ステップの第３の実施の形態によれば、単一の出力ストリームが、一時刻において、上記結果ストリームの、Ｎ個の位置だけ互いに隔てられたＬ個のパルスのエネルギーの合計の平方根を計算することにより、上記少なくとも１つの結果ストリームのそれぞれについて得られる。
【００４１】
この実施の形態は、これまでの実施の形態に従って規定された受信機の複雑さと比較して複雑さの小さな受信機を提供するので好都合である。このような複雑さの低い受信機は、同期シーケンス電力のロケーションが、これまでの実施の形態で上述したように複数の相関を実行することではなく、複数の相関を探すことであるということに起因する。
【００４２】
出力ストリーム計算ステップの第３の実施の形態から出力ストリームが得られる場合、上記Ｉ個の重み付け符号のそれぞれの第１の成分に続く（Ｌ−１）個の成分のそれぞれは、その第１の成分とは異なって符号化され、信号フレームは、場合によっては周波数補正され、上記最大の判定値から得られ、且つ、上記少なくとも１つのアンテナのそれぞれに関係する、単一の結果ストリームの、互いにＮ個の位置だけ隔てられたＬ個のピークが考慮され、上記Ｌ個のピークの最初のものは、信号フレームが同期される時刻に位置し、時刻決定及び重み付け符号取り出しの過程において、受信信号フレームによって運ばれた重み付け符号のランクｑの成分のソフト推定値が、重み付け値によって、上記少なくとも１つの単一の結果ストリームのランクｑの位相回転補正及び振幅補正されたピークの合計の積から得られる。
【００４３】
ピークの位相回転補正及び振幅補正の第１の実施の形態によれば、ランクｑの上記少なくとも１つのピークの位相回転及び振幅は、ランクｑの上記ピークに、上記（Ｌ−１）個のピークに先行するピークの複素共役を乗算することによって補正され、上記重み付け値は、上記少なくとも１つの単一の結果ストリームのそれぞれの（Ｌ−１）個のピークに先行するピークのモジュールの２乗の合計の平方根である。
【００４４】
ピークの位相回転補正及び振幅補正の第２の実施の形態によれば、ランクｑの上記少なくとも１つのピークの位相回転及び振幅は、ランクｑの上記少なくとも１つのピークに、上記（Ｌ−１）個のピークに先行するピークの複素共役の積を、上記Ｌ個のピークの平均エネルギーの平方根によるそのモジュールにより除算したものを乗算することによって補正され、上記重み付け値は、上記少なくとも１つの単一の結果ストリームのそれぞれについて得られた上記Ｌ個のピークの平均エネルギーの合計の平方根である。
【００４５】
本発明の別の態様によれば、上記少なくとも１つのアンテナのそれぞれによって受信される信号フレームは、Ｐ個の連続したパスを有するマルチパスチャネル上で送信され、且つ、時間同期されて場合によっては粗く周波数補正され、時刻決定及び重み付け符号取り出しステップにおいて、受信信号フレームの各パルスの位相は、傾きが、上記少なくとも１つのアンテナのそれぞれについて得られた少なくともＰ個の傾き推定値の重み付け平均から得られる、そのような傾きで線形に増加する値によって補正される。上記Ｐ個の傾き推定値のそれぞれは、上記Ｐ個のパス係数の１つの振幅を２乗したものの推定値によって重み付けされ、上記平均の重み付け値は、上記Ｐ個のパス係数の振幅を２乗したものの合計である。
【００４６】
傾き推定値の計算についての一実施の形態によれば、パス係数に関係する各傾き推定値は、上記パス係数に関係するシーケンスごとの傾き推定値をＮで割った比によって得られ、上記シーケンスごとの傾き推定値は、受信同期シーケンスの第１の相補シーケンスのセグメントについて第１の時刻において計算された、上記パス係数に関係する第１の相関ファクタ、及び、受信同期シーケンスの第２の相補シーケンスのセグメントについて第１の時刻において計算された、上記パス係数に関係する第２の相関ファクタの合計の位相と、受信同期シーケンスの第１の相補シーケンスのセグメントについて第２の時刻において計算された、上記パス係数に関係する第１の相関ファクタ、及び、受信同期シーケンスの第２の相補シーケンスのセグメントについて第２の時刻において計算された、上記パス係数に関係する第２の相関ファクタの合計の位相との間の（Ｌ−１）個の差の平均によって定義される。
【００４７】
本発明の別の態様によると、信号は複数のアンテナから送信される。次に、本発明による同期させるための方法は、送信機は、同じ信号フレームを、上記アンテナのそれぞれから、わずかに異なる時間遅延で送信するということを特徴とする。
【００４８】
そのハードウェア指向の態様の１つによれば、本発明は、上述した同期シーケンス生成ステップとシーケンス重み付けステップとを実行することを目的とした送信機に関する。
【００４９】
その指向の態様の別のものによれば、本発明は、そのアンテナのそれぞれについての上述した結果ストリーム計算ステップと、上述した出力ストリーム計算ステップと、上述した時刻決定及び重み付け符号取り出しステップとを実行することを目的とした受信機に関する。
【００５０】
上述したこの発明の特徴及び他の特徴は、添付図面に関係して与えられた以下の説明を読むことによってより明らかになる。
【００５１】
図１は、本発明による電気通信システムＳＹＳＴの一例の概要図式を表している。図１には、無線電気通信が示されているが、本発明は、このような電気通信システムに限定されるものではない。この電気通信システムＳＹＳＴは受信機ＲＣＤを含む。この受信機ＲＣＤは、Ｎａｎｔ個のアンテナＲＡＮＴｓ及び図示しない他の通信手段からの信号を連続して受信することを目的としている。このような受信信号が、電気通信システムＳＹＳＴの送信機ＴＲＤによって生成されてアンテナＴＡＮＴ（及び図示しない他の通信手段）から受信機ＲＣＤへ送信された信号Ｔｓｇ（ｋ）である時、信号Ｔｓｇ（ｋ）の各信号フレームは受信機端で同期されている。
【００５２】
図２は、本発明による、送信機ＴＲＤによって実行されることを目的とした受信信号Ｔｓｇ（ｋ）の信号フレームを同期させるための方法のステップを表す図である。
【００５３】
この同期方法は、同期シーケンス生成ステップ１００と、シーケンス重み付けステップ２００とを含む。同期シーケンス生成ステップ１００の過程において、同期シーケンスｘｉ（ｋ）が信号Ｔｓｇ（ｋ）の各信号フレームに組み込まれる。同期シーケンスｘｉ（ｋ）は、冒頭のパラグラフで定義された一対の相補シーケンス（Ａ，Ｂ）から生成される。シーケンス重み付けステップ２００の過程において、生成された同期シーケンスｘｉ（ｋ）は、前もって受信機によって知られている一組のＩ個の重み付け符号ＭＣｉ，ｉ∈｛１，…，Ｉ｝に属する重み付け符号ＭＣｉ＝｛ｃｉ０，…，ｃｉｌ，…，ｃｉＬ−１｝によって重み付けされる。
【００５４】
同期シーケンス生成ステップ１００の過程において、同期シーケンスｘｉ（ｋ）は、Ｌ個の相補シーケンスの第１のバースト及び第２のバーストの連結によって形成される。Ｌ個のシーケンスの第１のバーストは、一対の相補シーケンス（Ａ，Ｂ）の第１の相補シーケンスＡをＬ回含み、Ｌ個のシーケンスの第２のバーストは、一対の相補シーケンス（Ａ，Ｂ）の第２の相補シーケンスＢをＬ回含む。Ｌ個のシーケンスの第１のバースト及び第２のバーストは、したがって、それぞれＬ・Ｎ個のパルスを含む。
【００５５】
シーケンス重み付けステップ２００の過程において、Ｌ個のシーケンスの第１のバーストのランクｑの各相補シーケンスＡのパルスには、Ｌ個の成分の重み付け符号ＭＣｉ＝｛ｃｉ０，…，ｃｉｌ，…，ｃｉＬ−１｝のランクｑの成分が乗算され、Ｌ個のシーケンスの第２のバーストのランクｑの各相補シーケンスＢのパルスには、上記重み付け符号のランクｑの同じ成分が乗算される。
【００５６】
本発明の一態様によれば、同期シーケンス生成ステップ１００の過程において、少なくとも１つのガードインターバルが同期シーケンスｘｉ（ｋ）に含まれる。このガードインターバルは、第１の相補シーケンス又は第２の相補シーケンスのいずれかのＷビット長の巡回拡張部によって定義される。上記少なくとも１つのガードインターバルが第１の相補シーケンスＡから定義されている場合に、上記少なくとも１つのガードインターバルは、Ｌ個のシーケンスの第１のバーストの開始部又は終了部のいずれかに配置され、上記少なくとも１つのガードインターバルが第２の相補シーケンスＢから定義されている場合に、上記少なくとも１つのガードインターバルは、Ｌ個のシーケンスの第２のバーストの開始部又は終了部のいずれかに配置される。
【００５７】
同期シーケンス生成ステップ１００の一実施の形態によれば、４つのガード期間ΔＬｅＡ、ΔＲｉＡ、ΔＬｅＢ、及びΔＲｉＢが定義される。インデックス「Ｌｅ」は、巡回拡張部がＬ個のシーケンスのあるバーストの開始部に配置されることを意味し、インデックス「Ｒｉ」は、巡回拡張部がＬ個のシーケンスのあるバーストの終了部に配置されることを意味する。より正確に言えば、相補シーケンスＡのＷの長さの巡回拡張部から得られる巡回拡張部ΔＬｅＡは、Ｌ個のシーケンスの第１のバーストの開始部に含められ、同じく相補シーケンスＡのＷの長さの巡回拡張部から得られる巡回拡張部ΔＲｉＡは、Ｌ個のシーケンスの第１のバーストの終了部に含められ、相補シーケンスＢのＷの長さの巡回拡張部から得られる巡回拡張部ΔＬｅＢは、Ｌ個のシーケンスの第２のバーストの開始部に含められ、同じく相補シーケンスＢのＷの長さの巡回拡張部から得られる巡回拡張部ΔＲｉＢは、Ｌ個のシーケンスの第２のバーストの終了部に含められる。図３は、このような同期シーケンスｘｉ（ｋ）の一例を示している。
【００５８】
送信機の出力における同期シーケンスｘｉ（ｋ）は、したがって、一般式（２）によって与えられる。この一般式（２）では、Ｌ個のシーケンスのバーストがガードインターバルと結合されない場合に、巡回拡張値Ｗはゼロとすることができる。
【００５９】
【数３】
0005208440.tif 000004
【００６０】
ここで、ｕ＝Ｎ・Ｌ＋２・Ｗであり、ｋ＜０の場合とｋ≧Ｎの場合にはＡ［ｋ］＝Ｂ［ｋ］＝０である。
【００６１】
電気通信システムＳＹＳＴでは、信号Ｔｓｇ（ｋ）は、送信機ＴＲＤと受信機ＲＣＤとの間でマルチパス伝送チャネルＣＨ上を流れる。たとえば、無線電気通信システムの場合、送信機ＴＲＤと受信機ＲＣＤとの間には、通常、波が反射される障害物が存在するので、伝送チャネルＣＨはマルチパスと呼ばれる。この場合、送信信号Ｔｓｇ（ｋ）は、送信機ＴＲＤと受信機ＲＣＤとの間を数個のパスに沿って伝播している。
【００６２】
図４は、Ｐ個の連続したパスを有するマルチパス伝送チャネルＣＨ上でのアンテナＲＡＮＴｓへの同期シーケンスｘｉ（ｋ）の送信を示している。このようなチャネルＣＨのモデルは、この場合、Ｐ個の分岐モデル(P branches model)である。このように、最初に同期シーケンスｘｉ（ｋ）をｐ個のパルス分だけ遅延させて、同期シーケンスｘｉ（ｋ）に複素パス係数ｈｐ，ｓを乗算することにより、同期シーケンスｘｉ（ｋ）は、Ｐ個の分岐のそれぞれで送信される。次に、受信機ＲＣＤの電気通信手段の或る不完全性のために、通常は白色ガウス雑音によってモデル化されるランダム信号ｎ（ｋ）が、Ｐ個の項ｘｉ（ｋ−ｐ）・ｈｐ，ｓ（ｋ）の合計に加算される。
【００６３】
その結果、受信機ＲＣＤのアンテナＲＡＮＴｓの１つによって受信される信号によって運ばれる可能性のある同期シーケンスｙｓ（ｋ）は、
【００６４】
【数４】
0005208440.tif 000005
【００６５】
によって与えられる。ここで、インデックスｓは、アンテナＲＡＮＴｓを指す。
【００６６】
受信中の信号が信号Ｔｓｇ（ｋ）である時、同期シーケンスｙｓ（ｋ）は、式（２）及び式（３）が一旦結合された式（４）によって与えられる。
【００６７】
【数５】
0005208440.tif 000006
【００６８】
図５は、本発明による、受信機ＲＣＤによって実行されることを目的とした受信信号の信号フレームを同期させるための方法のステップを表す図を示している。この同期させる方法は、受信機ＲＣＤの各アンテナＲＡＮＴｓについての結果ストリーム計算ステップ３００ｓと、出力ストリーム計算ステップ４００と、時刻決定及び重み付け符号取り出しステップ５００とを含む。
【００６９】
各結果ストリーム計算ステップ３００ｓの過程において、少なくとも１つの結果ストリームが、アンテナＲＡＮＴｓによって受信中の、同期シーケンスｙｓ（ｋ）を運んでいる可能性のある信号から得られる。
【００７０】
出力ストリーム計算ステップ４００の過程において、上記少なくとも１つの結果ストリームのそれぞれについて、少なくとも１つの出力ストリームが得られ、時刻決定及び重み付け符号取り出しステップ５００の過程において、時刻ｋにおける少なくとも１つの判定値が、上記少なくとも１つの出力ストリームから計算される。次に、受信中の信号フレームが上記のように時間同期される時刻ｋｂｅｓｔが、上記少なくとも１つの判定値を最大にすることによって得られる。同期シーケンスｙｓ（ｋ）が受信中である時、上記受信同期シーケンスｙｓ（ｋ）によって運ばれた重み付け符号
【００７１】
【数６】
0005208440.tif 000007
【００７２】
が、上記最大の判定値から得られた上記結果ストリームの少なくとも１つの、Ｎ個の位置だけ互いに隔てられたＬ個のピークから取り出される。次に、上記少なくとも１つの結果ストリームのそれぞれの上記Ｌ個のピークの最初のものが、時刻ｋｂｅｓｔにおいて突き止められる。
【００７３】
図６は、アンテナＲＡＮＴｓに関係する結果ストリーム計算ステップ３００ｓの第１の実施の形態の図を表している。結果ストリーム計算ステップ３００ｓは、単一の時間シフトサブステップ３０１ｓと、単一の第１のシーケンス相関サブステップ３０２ｓと、単一の第２のシーケンス相関サブステップ３０３ｓと、単一のストリーム合計サブステップ３０４ｓとを含む。
【００７４】
時間シフトサブステップ３０１ｓの過程において、受信信号は、継続時間ｕだけ時間遅延される。継続時間ｕは、受信信号によって運ばれる可能性のある、生成された同期シーケンスｘｉ（ｋ）に従って定義される。たとえば、同期シーケンスｘｉ（ｋ）が式（２）によって与えられる場合、継続時間ｕは、同期シーケンスｘｉ（ｋ）の２つの連続したパルス間の継続期間の（Ｌ・Ｎ＋２・Ｗ）倍に等しく、別の例によれば、同期シーケンスｘｉ（ｋ）が巡回拡張部と結合されていない場合、継続時間ｕは、上記継続期間の（Ｌ・Ｎ）倍に等しい。
【００７５】
第１のシーケンス相関サブステップ３０２ｓの過程において、受信信号の時間遅延されたバージョンを、一対の相補シーケンス（Ａ，Ｂ）の第１の相補シーケンスＡの複製と相関させることにより、第１の相関ストリームｙＡ，ｓ（ｋ）が計算される。
【００７６】
第２のシーケンス相関サブステップ３０３ｓの過程において、受信信号を、一対の相補シーケンス（Ａ，Ｂ）の第２の相補シーケンスＢの複製と相関させることにより、第２の相関ストリームｙＢ，ｓ（ｋ）が計算される。
【００７７】
同期シーケンスｙｓ（ｋ）が受信信号によって運ばれる場合、第１の相関ストリームｙＡ（ｋ）は、
【００７８】
【数７】
0005208440.tif 000008
【００７９】
によって与えられ、第２の相関ストリームｙＢ，ｓ（ｋ）は、
【００８０】
【数８】
0005208440.tif 000009
【００８１】
によって与えられる。
【００８２】
ストリーム合計サブステップ３０４ｓの過程において、２つの相関ストリームｙＡ，ｓ（ｋ）及びｙＢ，ｓ（ｋ）を合計することにより、結果ストリームｒｓ（ｋ）が形成される。
【００８３】
同期シーケンスｙｓ（ｋ）が、受信信号によって運ばれる場合、Ｌ個のシーケンスの第１のバーストにおけるＬ個のシーケンスＡは、次に、Ｌ個のシーケンスの第２のバーストにおけるＬ個のシーケンスＢと時間合わせされる。結果ストリームｒｓ（ｋ）は、したがって、
【００８４】
【数９】
0005208440.tif 000010
【００８５】
によって与えられる。ここで、α（ｋ）＝ｎ（ｋ−ｕ）＊Ａ＊（ｋ−ｕ）＋ｎ（ｋ）＊Ｂ＊（−ｋ）であり、
【００８６】
【数１０】
0005208440.tif 000011
【００８７】
である。
【００８８】
このように、この実施の形態によれば、結果ストリーム計算ステップ３００ｓの出力には、各アンテナＲＡＮＴｓについて、単一の結果ストリームｒｓ（ｋ）が得られる。
【００８９】
冒頭のパラグラフで述べたように、送信機ＴＲＤと受信機ＲＣＤとの間の周波数ドリフトは、システムの性能に重大な影響を与える場合がある。この場合、上記周波数ドリフトが運ばれるデータの検出確率を減少させることを回避するために、且つ、受信信号Ｔｓｇ（ｋ）によって運ばれる相補シーケンスＡ及び相補シーケンスＢ（式（１）によって与えられる）の非周期自己相関特性の劣化を回避するために、受信信号の位相が補正されることになる。このような劣化は、第１に、各相補シーケンス自体の内部でパルスごとに線形変化する位相回転によるものであり、第２に、同期シーケンスｘｉ（ｋ）の前半にこのパルスごとの位相回転が集約することによるものである。この第１の要因は、各シーケンスの上記特性を各シーケンスのローカルな複製で破壊し、第２の要因は、一対の相補シーケンス間の重要な位相オフセットにつながる。最悪のケースは、位相オフセットがπに等しい時に生じる。その理由は、位相オフセットがπに等しい時、単一のピークの振幅がゼロになり、非周期自己相関ρＡ，Ａ（ｋ）及びρＢ，Ｂ（ｋ）  ∀ｋ≠０の振幅が互いを増加させるからである。
【００９０】
受信機ＲＣＤは、周波数ドリフトの正確な値を知らないが、上記周波数ドリフトが属する範囲は前もって知っている。受信機は、次に、上記範囲からＭ個の可能な周波数オフセット値Δｆｍ  ｍ＝｛１，…，Ｍ｝を求める。受信機が、周波数ドリフトが発生しているかどうかに気付いていない場合には、すなわち、周波数補正のない同期シーケンスのバージョンも考慮するために、可能な周波数オフセット値Δｆｍの１つは０に等しくできることに留意されたい。
【００９１】
図７は、受信信号を粗く周波数補正するための第１の方法を提供する、アンテナＲＡＮＴｓに関係する結果ストリーム計算ステップ３００ｓの第２の実施の形態の図を表している。
【００９２】
結果ストリーム計算ステップ３００ｓは、上述したような２つの相関ストリームｙＡ，ｓ（ｋ）及びｙＢ，ｓ（ｋ）を得るために、単一の時間シフトサブステップ３０１ｓと、単一の第１のシーケンス相関サブステップ３０２ｓと、単一の第２のシーケンス相関サブステップ３０３ｓとを含む。
【００９３】
更に、結果ストリーム計算ステップ３００ｓは、Ｍ個の粗いシーケンスごとの周波数補正サブステップ３０５ｓ，ｍと、Ｍ個のストリーム合計サブステップ３０４ｓ，ｍとを含む。
【００９４】
それぞれの、シーケンスごとの周波数補正サブステップ３０５ｓ，ｍの過程において、同じ相補シーケンスに関係する第２の補正ストリームｙＢ，ｓ（ｋ）のパルスの位相が、
ΔΦｍ＝Δφｍ（Ｎ・Ｌ＋２Ｗ）
によって与えられる定数値により補正される。ここで、Δφｍ＝２π・Δｆｍ・Ｔｓａは、Ｔｓａ＝１／（ｆｓａ）だけ隔てられた２つの連続したパルス間の位相回転であり、ｆｓａはサンプリング周波数であり、Δｆｍは起こり得る周波数オフセット値である。その結果、補正された第２の相関ストリームｙＢ，ｓ，ｍ（ｋ）が得られる。
【００９５】
各ストリーム合計サブステップ３０４ｓ，ｍの過程において、第１の相関ストリームｙＡ，ｓ（ｋ）及び補正された第２の相関ストリームｙＢ，ｓ，ｍ（ｋ）を合計することにより、結果ストリームｒｓ，ｍ（ｋ）が形成される。
【００９６】
このように、この実施の形態によれば、結果ストリーム計算ステップ３００ｓの出力には、各アンテナＲＡＮＴｓについて、Ｍ個の結果ストリームｒｓ，ｍ（ｋ）が得られる。
【００９７】
図８は、受信信号を粗く周波数補正するための第２の方法を提供する、アンテナＲＡＮＴｓに関係する結果ストリーム計算ステップ３００ｓの第３の実施の形態の図を表している。
【００９８】
結果ストリーム計算ステップ３００ｓはＭ個の分岐を含む。これらの分岐のそれぞれは、結果ストリームｒｓ，ｍ（ｋ）が得られる同じサブステップを含む。
【００９９】
分岐ｍは、粗いパルスごとの周波数補正サブステップ３０６ｓ，ｍを含む。この粗いパルスごとの周波数補正サブステップ３０６ｓ，ｍの過程において、受信信号の各パルスの位相が、傾きΔφｍで線形に増加する値によって補正される。その結果、補正された受信信号ｙｓ，ｍ（ｋ）が得られる。
【０１００】
また、分岐ｍは、補正された受信信号ｙｓ，ｍ（ｋ）から２つの相関ストリームｙＡ，ｓ，ｍ（ｋ）及びｙＢ，ｓ，ｍ（ｋ）を得るために、単一の時間シフトサブステップ３０１ｓ，ｍと、単一の第１のシーケンス相関サブステップ３０２ｓと、単一の第２のシーケンス相関ステップ３０３ｓ，ｍとを含む。さらに、分岐ｍは、ストリーム合計サブステップ３０４ｓ，ｍを含む。このストリーム合計サブステップ３０４ｓ，ｍの過程において、第１の相関ストリームｙＡ，ｓ，ｍ（ｋ）及び第２の相関ストリームｙＢ，ｓ，ｍ（ｋ）を合計することにより、結果ストリームｒｓ，ｍ（ｋ）が形成される。
【０１０１】
このように、この実施の形態によれば、結果ストリーム計算ステップ３００ｓの出力には、各アンテナＲＡＮＴｓについて、Ｍ個の結果ストリームｒｓ，ｍ（ｋ）が得られる。
【０１０２】
上述したように、結果ストリーム計算ステップ３００ｓの出力には、単一の結果ストリームｒｓ（ｋ）が得られるか、又は、Ｍ個の結果ストリームｒｓ，ｍ（ｋ）が得られる。以下では、Ｍ個の結果ストリームｒｓ，ｍ（ｋ）が得られる一般的な場合を考える。このような一般的な場合から、より簡単な場合を推論することができる。たとえば、単一の結果ストリームｒｓ（ｋ）は、Ｍ＝１としたときのこの一般的な場合から得られる。更に、粗い周波数補正が必要とされない場合に、単一の結果ストリームは、Δｆｍ＝０及びＭ＝１として得られる。
【０１０３】
図９は、出力ストリーム計算ステップ４００の第１の実施の形態の図を表している。
【０１０４】
この第１の実施の形態によれば、Ｉ個の相関出力ストリームｚｊｓ，ｍ（ｋ）が、結果ストリーム計算ステップ３００ｓから得られたＭ個の結果ストリームｒｓ，ｍ（ｋ）のそれぞれについて計算される。所与の時刻ｋにおいて、結果ストリームｒｓ，ｍ（ｋ）を、上記Ｉ個の重み付け符号ＭＣｊの１つに関係するＬ個のパルスの櫛(comb)ｃｐｊと相関させることにより、結果ストリームｒｓ，ｍ（ｋ）に関係する出力ストリームｚｊｓ，ｍ（ｋ）が得られる。パルスの櫛ｃｐｊの各パルスは、Ｎ個の位置だけ互いに隔てられ、パルスの櫛ｃｐｊの各パルスｑは、重み付け符号ＭＣｊの成分ｃｊｑによって重み付けされる。
【０１０５】
図１０は、出力ストリーム計算ステップ４００の第２の実施の形態の図を表している。
【０１０６】
この第２の実施の形態によれば、一組のＩ個の重み付け符号ＭＣｊは、高速変換ＴＲＡＮＳが得られる一組の直交符号である。上記重み付け符号のそれぞれは、第１の例によればアダマール符号であり、第２の例によればフーリエ符号である。
【０１０７】
出力ストリーム計算ステップ４００の過程において、Ｉ個の出力ストリームｚｊｓ，ｍ（ｋ）が、結果ストリーム計算ステップ３００ｓから得られたＭ個の結果ストリームｒｓ，ｍ（ｋ）のそれぞれについて計算される。結果ストリームｒｓ，ｍ（ｋ）に関係するＩ個の出力ストリームｚｊｓ，ｍ（ｋ）のそれぞれは、結果ストリームｒｓ，ｍ（ｋ）から選択されて互いにＮ個の位置だけ隔てられたＬ個のパルスｒｓ，ｍ（ｋ）、ｒｓ，ｍ（ｋ＋Ｎ）、…、ｒｓ，ｍ（ｋ＋（Ｌ−１）・Ｎ）を、高速変換ＴＲＡＮＳで処理することによって得られる。高速変換ＴＲＡＮＳは、Ｉ個の直交重み付け符号ＭＣｊから得られる。
【０１０８】
したがって、出力ストリーム計算ステップ４００のこれらの２つの実施の形態によれば、Ｉ個の出力ストリームｚｊｓ，ｍ（ｋ）が、各結果ストリームｒｓ，ｍ（ｋ）について得られる。
【０１０９】
図１１は、出力ストリーム計算ステップ４００の第３の実施の形態の図を表している。
【０１１０】
この実施の形態によれば、単一の出力ストリームｚｓ，ｍ（ｋ）が、結果ストリーム計算ステップ３００ｓから得られたＭ個の結果ストリームｒｓ，ｍ（ｋ）のそれぞれについて計算される。
【０１１１】
この単一の出力ストリームｚｓ，ｍ（ｋ）は、時刻ｋにおいて、
【０１１２】
【数１１】
0005208440.tif 000012
【０１１３】
により与えられる。ここで、｜ｒｓ，ｍ（ｋ＋ｌ・Ｎ）｜２は、Ｌ個のパルスの最初のものからｌ・Ｎ個の位置だけ隔てられたパルスのエネルギーである。上記Ｌ個のパルスｒｓ，ｍ（ｋ）、ｒｓ，ｍ（ｋ＋Ｎ）、…、ｒｓ，ｍ（ｋ＋（Ｌ−１）・Ｎ）は、結果ストリームｒｓ，ｍ（ｋ）から選択され、Ｎ個の位置だけ互いに隔てられている。
【０１１４】
受信信号が、送信機ＴＲＤによって送信された信号Ｔｓｇ（ｋ）でない場合には、出力ストリーム計算ステップ４００の最初の２つの実施の形態の一方が使用された場合、出力ストリーム計算ステップ４００の出力で得られる出力ストリームｚｊｓ，ｍ（ｋ）のいずれも、信号フレームの時間同期が達成される単一のピークとみなすことができるピークを運ばず、また、出力ストリーム計算ステップ４００の第３の実施の形態が使用された場合、出力ストリーム計算ステップ４００の出力で得られる出力ストリームｚｓ，ｍ（ｋ）も、信号フレームの時間同期が達成される単一のピークとみなすことができるピークを運ばない。
【０１１５】
しかし、受信信号が信号Ｔｓｇ（ｋ）である場合、このような信号ピークは、少なくとも１つの出力ストリーム
【０１１６】
【数１２】
0005208440.tif 000013
【０１１７】
の時刻ｋｂｅｓｔ及びｚｓ，ｍ（ｋ）の時刻ｋｂｅｓｔにおいてそれぞれ現れる。受信中の信号フレームは、その後、上記のように時間同期され、冒頭のパラグラフで述べたように、受信機は、上記信号フレームの開始部を正確に決定することができ、したがって、上記信号フレームによって運ばれる同期シーケンスｘｊ（ｋ）の開始部を正確に決定することができる。
【０１１８】
受信同期シーケンスｙｓ（ｋ）によって運ばれる重み付け符号
【０１１９】
【数１３】
0005208440.tif 000014
【０１２０】
は、後述する判定値の最大化に続くアンテナＲＡＮＴｓｂｅｓｔから得られるストリーム
【０１２１】
【数１４】
0005208440.tif 000015
【０１２２】
から直接推論される。
【０１２３】
数学的に言えば、このような信号ピークは或る時間窓に現れる。この時間窓は、このような時間窓上の係数
【０１２４】
【数１５】
0005208440.tif 000016
【０１２５】
を、
【０１２６】
【数１６】
0005208440.tif 000017
【０１２７】
として書き換えることができるので、時刻ｋｂｅｓｔを中心とし、且つ、その継続期間ｕが一般的な場合に（Ｌ・Ｎ＋２・Ｗ）に等しいものである。
【０１２８】
単一のピークが現れる出力ストリーム
【０１２９】
【数１７】
0005208440.tif 000018
【０１３０】
は、したがって、
【０１３１】
【数１８】
0005208440.tif 000019
【０１３２】
によって与えられる。
【０１３３】
シーケンス
【０１３４】
【数１９】
0005208440.tif 000020
【０１３５】
が式（８）によって与えられる式（７）を式（９）に含めて、いくつかの数学的操作に従うことにより、上記相関出力ストリーム
【０１３６】
【数２０】
0005208440.tif 000021
【０１３７】
は、
【０１３８】
【数２１】
0005208440.tif 000022
【０１３９】
によって与えられる。
【０１４０】
重み付け符号
【０１４１】
【数２２】
0005208440.tif 000023
【０１４２】
は、上記少なくとも１つの出力ストリームｚｓ，ｍ（ｋｂｅｓｔ）から直接推論できないことにも留意されたい。その場合、各重み付け符号の第１の成分ｃｊ０は、すべて同一であり、したがって、受信機において、チャネルによるあらゆる位相曖昧性(phase ambiguity)が回避される。各重み付け符号によって表される情報は、第１の成分ｃｊ０に続く（Ｌ−１）個の成分ｃｊｑ＝｛１，…，Ｌ−１｝のそれぞれによって運ばれ、各成分ｃｊｑ＝｛１，…，Ｌ−１｝は、その第１の成分とは異なって符号化される。次に、（Ｌ−１）個の成分ｃｊｑのそれぞれのソフト推定値（soft estimate）
【０１４３】
【数２３】
0005208440.tif 000024
【０１４４】
が、後述する判定値の最大化に続くアンテナＲＡＮＴｓから得られた出力ストリーム
【０１４５】
【数２４】
0005208440.tif 000025
【０１４６】
にそれぞれ関係する少なくとも１つの単一の結果ストリーム
【０１４７】
【数２５】
0005208440.tif 000026
【０１４８】
の（Ｌ−１）個のピークｒｓ，ｍ（ｋｂｅｓｔ＋Ｎ）、…、ｒｓ，ｍ（ｋｂｅｓｔ＋（Ｌ−１）・Ｎ）から得られる。
【０１４９】
重み付け符号
【０１５０】
【数２６】
0005208440.tif 000027
【０１５１】
を取り出す第１の実施の形態によれば、ソフト推定値
【０１５２】
【数２７】
0005208440.tif 000028
【０１５３】
は、
【０１５４】
【数２８】
0005208440.tif 000029
【０１５５】
によって与えられる。ここで、
【０１５６】
【数２９】
0005208440.tif 000030
【０１５７】
は、第１のピークの複素共役であり、
【０１５８】
【数３０】
0005208440.tif 000031
【０１５９】
は、第１のピークのモジュール（module）である。上記式によれば、ピーク
【０１６０】
【数３１】
0005208440.tif 000032
【０１６１】
の位相回転及び振幅は、重み付け符号の成分
【０１６２】
【数３２】
0005208440.tif 000033
【０１６３】
を取り出す前に補正されることに留意されたい。
【０１６４】
重み付け符号
【０１６５】
【数３３】
0005208440.tif 000034
【０１６６】
を取り出す第２の実施の形態によれば、ソフト推定値
【０１６７】
【数３４】
0005208440.tif 000035
【０１６８】
は、
【０１６９】
【数３５】
0005208440.tif 000036
【０１７０】
によって与えられる。ここで、
【０１７１】
【数３６】
0005208440.tif 000037
【０１７２】
である。この上記式によれば、ピーク
【０１７３】
【数３７】
0005208440.tif 000038
【０１７４】
の位相回転及び振幅も、重み付け符号の成分
【０１７５】
【数３８】
0005208440.tif 000039
【０１７６】
を取り出す前に補正されることに留意されたい。
【０１７７】
受信同期シーケンスによって運ばれる重み付け符号の各成分は、したがって、各アンテナＲＡＮＴｓから得られた結果ストリームを結合することによって取り出される。これは、単一のアンテナが考慮される場合（ＮＡＮＴ＝１）を含む一般的な手法である。
【０１７８】
時刻決定及び重み付け符号取り出しステップ５００の第１の実施の形態によれば、時刻ｋにおいて、出力ストリーム計算ステップ４００の最初の２つの実施の形態の一方が使用された場合には、出力ストリーム計算ステップ４００の出力で得られる出力ストリームｚｊｓ，ｍ（ｋ）のそれぞれについて判定値が計算され、また、出力ストリーム計算ステップ４００の第３の実施の形態が使用された場合には、出力ストリーム計算ステップ４００の出力で得られる出力ストリームｚｓ，ｍ（ｋ）について判定値が計算される。
【０１７９】
出力ストリームｚｊｓ，ｍ（ｋ）が出力ストリーム計算ステップ４００から得られる場合、判定値計算の第１の実施の形態によれば、上記出力ストリームｚｊｓ，ｍ（ｋ）について時刻ｋにおいて計算される判定値Ｓｊｓ，ｍ（ｋ）は、
Ｓｊｓ，ｍ（ｋ）＝｜ｚｊｓ，ｍ（ｋ）｜２
によって与えられ、第２の実施の形態によれば、上記出力ストリームｚｊｓ，ｍ（ｋ）について時刻ｋにおける判定値Ｓｊｓ，ｍ（ｋ）は、
【０１８０】
【数３９】
0005208440.tif 000040
【０１８１】
によって定義される相関メリット係数により計算される。ここで、｜ｚｊｓ，ｍ（ｋ）｜２は、出力ストリームｚｊｓ，ｍ（ｋ）の時刻ｋにおけるエネルギーであり、
【０１８２】
【数４０】
0005208440.tif 000041
【０１８３】
は、時刻ｋの前及び後でそれぞれ定義されるサイズＫ１及びサイズＫ２の２つの時間間隔に関して平均された出力ストリームｚｊｓ，ｍ（ｋ）のエネルギーである。
【０１８４】
この判定値の最大化は、したがって、判定値計算の実施の形態とは独立して、
【０１８５】
【数４１】
0005208440.tif 000042
【０１８６】
によって与えられる。
【０１８７】
時刻ｋｂｅｓｔにおいて判定値Ｓｊｓ，ｍ（ｋ）を最大にする出力ストリーム
【０１８８】
【数４２】
0005208440.tif 000043
【０１８９】
を選択することによって、周波数ドリフトの粗い推定値も、可能な周波数オフセット値
【０１９０】
【数４３】
0005208440.tif 000044
【０１９１】
によって得られ、上記出力ストリーム
【０１９２】
【数４４】
0005208440.tif 000045
【０１９３】
に関係する重み付け符号
【０１９４】
【数４５】
0005208440.tif 000046
【０１９５】
は、上述したように受信機ＲＣＤによって推論される。
【０１９６】
図１２は、出力ストリームｚｊｓ，ｍ（ｋ）の時刻（ｋｂｅｓｔ−１）及び時刻ｋｂｅｓｔにおける、第２の実施の形態による判定値Ｓｊｓ，ｍ（ｋ）の計算を示すクロノグラムを表している。判定値Ｓｊｓ，ｍ（ｋ）は、出力ストリームｚｊｓ，ｍ（ｋ）の２つの連続したパルスを隔てる期間のＫ１倍にわたって定義された第１の時間間隔から、時刻ｋにおいて計算される。上記第１の時間間隔は、時刻（ｋ−１）において終了する。判定値Ｓｊｓ，ｍ（ｋ）は、出力ストリームｚｊｍ（ｋｒ）の２つの連続したパルスを隔てる期間のＫ２倍にわたって定義された、第２の時間間隔からも計算される。上記第２の時間間隔は、時刻（ｋ＋１）において開始する。
【０１９７】
この例は、判定値Ｓｊｓ，ｍ（ｋ）が、時刻ｋｂｅｓｔにおいて、すなわち、単一のピークが出力ストリームｚｊｓ，ｍ（ｋ）に現れる時刻において判定値が計算される時に、最大であることを示している。
【０１９８】
出力ストリームｚｓ，ｍ（ｋ）が出力ストリーム計算ステップ４００から得られる場合に、判定値計算の一実施の形態によれば、上記出力ストリームｚｓ，ｍ（ｋ）の時刻ｋにおいて計算された判定値Ｓｓ，ｍ（ｋ）は、
Ｓｓ，ｍ（ｋ）＝｜ｚｓ，ｍ（ｋ）｜２
によって与えられ、別の実施の形態によれば、上記出力ストリームｚｓ，ｍ（ｋ）の時刻ｋにおける判定値Ｓｓ，ｍ（ｋ）は、
【０１９９】
【数４６】
0005208440.tif 000047
【０２００】
によって定義される相関メリット係数により計算される。ここで、｜ｚｓ，ｍ（ｋ）｜２は、出力ストリームｚｓ，ｍ（ｋ）の時刻ｋにおけるエネルギーであり、
【０２０１】
【数４７】
0005208440.tif 000048
【０２０２】
は、時刻ｋの前及び後でそれぞれ定義されるサイズＫ１及びサイズＫ２の２つの時間間隔について平均された出力ストリームｚｓ，ｍ（ｋ）のエネルギーである。
【０２０３】
この判定値の最大化は、したがって、判定値計算の実施の形態とは独立して、
【０２０４】
【数４８】
0005208440.tif 000049
【０２０５】
によって与えられる。
【０２０６】
時刻ｋｂｅｓｔにおいて判定値Ｓｓ，ｍ（ｋ）を最大にする出力ストリーム
【０２０７】
【数４９】
0005208440.tif 000050
【０２０８】
を選択することによって、周波数ドリフトの粗い推定値が、可能な周波数オフセット値
【０２０９】
【数５０】
0005208440.tif 000051
【０２１０】
によって得られる。
【０２１１】
時刻決定及び重み付け符号取り出しステップ５００の第２の実施の形態によれば、時刻ｋにおいて、判定値は、出力ストリーム計算ステップ４００の最初の２つの実施の形態の一方が使用された場合には、出力ストリーム計算ステップ４００の出力で得られる出力ストリームｚｊｓ，ｍ（ｋ）の少なくとも１つの結合したものについて計算され、また、出力ストリーム計算ステップ４００の第３の実施の形態が使用された場合には、出力ストリーム計算ステップ４００の出力で得られる出力ストリームｚｓ，ｍ（ｋ）の少なくとも１つの結合したものについて計算される。
【０２１２】
出力ストリーム計算ステップ４００の最初の２つの実施の形態の一方が使用される場合、出力ストリームｚｊｓ，ｍ（ｋ）の結合したものは、Ｉ個の重み付け符号ＭＣｊの１つ、又は、Ｍ個の周波数オフセットΔｆｍの１つ、又は、Ｍ個の周波数オフセットΔｆｍの１つ及びＩ個の重み付け符号ＭＣｊの１つに関係付けられる。
【０２１３】
Ｍ＝１の場合において、出力ストリームｚｊｓ，１（ｋ）の結合したものが重み付け符号ＭＣｉに関係付けられているとき、この重み付け符号に関係付けられた出力ストリームｚｊ＝ｉｓ，１（ｋ）のみが、各アンテナＲＡＮＴｓから考慮される。出力ストリームｚｊｓ，ｍ（ｋ）の結合したものが周波数オフセットΔｆμ及び重み付け符号ＭＣｉの双方に関係付けられているとき、１つの出力ストリームｚｊ＝ｉｓ，ｍ＝μ（ｋ）のみが、各アンテナＲＡＮＴｓから考慮される。
【０２１４】
出力ストリーム計算ステップ４００の第３の実施の形態が使用される場合、出力ストリームｚｓ，ｍ（ｋ）の結合したものが、Ｍ個の周波数オフセットΔｆｍの１つに関係付けられる。
【０２１５】
出力ストリーム計算ステップ４００から得られた出力ストリームｚｊｓ，ｍ（ｋ）の結合したものが考慮される場合、判定値計算の一実施の形態によれば、上記結合したものについて時刻ｋにおいて計算された判定値Ｓｊｍ（ｋ）は、
【０２１６】
【数５１】
0005208440.tif 000052
【０２１７】
によって与えられ、別の実施の形態によれば、上記結合したものの時刻ｋにおける判定値Ｓｊｍ（ｋ）は、
【０２１８】
【数５２】
0005208440.tif 000053
【０２１９】
によって定義される相関メリット係数により計算される。
【０２２０】
この判定値の最大化は、したがって、判定値計算の実施の形態とは独立して、
【０２２１】
【数５３】
0005208440.tif 000054
【０２２２】
によって与えられる。
【０２２３】
時刻ｋｂｅｓｔにおいて判定値Ｓｊｍ（ｋ）を最大にする一組の出力ストリーム
【０２２４】
【数５４】
0005208440.tif 000055
【０２２５】
を選択することによって、周波数ドリフトの推定値が、可能な周波数オフセット値
【０２２６】
【数５５】
0005208440.tif 000056
【０２２７】
によって得られる。重み付け符号
【０２２８】
【数５６】
0005208440.tif 000057
【０２２９】
も、上述したにように受信機ＲＣＤによって上記一組の出力ストリーム
【０２３０】
【数５７】
0005208440.tif 000058
【０２３１】
から推論される。
【０２３２】
出力ストリーム計算ステップ４００から得られた出力ストリームｚｓ，ｍ（ｋ）の結合したものが考慮される場合、判定値計算の一実施の形態によれば、上記結合したものについて時刻ｋにおいて計算された判定値Ｓｍ（ｋ）は、
【０２３３】
【数５８】
0005208440.tif 000059
【０２３４】
によって与えられ、別の実施の形態によれば、上記結合したものについての時刻ｋにおける判定値Ｓｍ（ｋ）は、
【０２３５】
【数５９】
0005208440.tif 000060
【０２３６】
によって定義される相関メリット係数により計算される。
【０２３７】
この判定値の最大化は、したがって、判定値計算の実施の形態とは独立して、
【０２３８】
【数６０】
0005208440.tif 000061
【０２３９】
によって与えられる。
【０２４０】
時刻ｋｂｅｓｔにおいて判定値Ｓｍ（ｋ）を最大にする一組の出力ストリーム
【０２４１】
【数６１】
0005208440.tif 000062
【０２４２】
を選択することによって、周波数ドリフトの推定値が、可能な周波数オフセット値
【０２４３】
【数６２】
0005208440.tif 000063
【０２４４】
によって得られる。冒頭のパラグラフで説明したように、受信信号フレームの精細な周波数補正が必要とされる場合がある。受信信号の位相は、傾き値Δφに従って時間と共に線形に変化する。受信信号の位相は、したがって、傾き値Δφが推定された場合に、受信機ＲＣＤによって補正することができる。
【０２４５】
このような傾き値Δφの推定を行う従来の方法は、同期シーケンスｙｓ（ｋ）に含まれる同じパルスシーケンスの２つ又は３つ以上の繰り返しを使用し、それら繰り返し間の位相回転を計算することである（T.M. Schmidl, D.C. Cox著「Robust frequency and timing synchronization for OFDM」, IEEE Transactions on Communications, vol. 45, pp. 1613-1621, no. 12, December 1997）。たとえば、２つの連続したパルスシーケンスの最初のパルスが遭遇する各位相は、
【０２４６】
【数６３】
0005208440.tif 000064
【０２４７】
及び
【０２４８】
【数６４】
0005208440.tif 000065
【０２４９】
である。ここで、Δｔは、２つのパルスシーケンスの最初のパルス間の時間ギャップである。ベースバンドでは、２つの連続したパルスシーケンス間の位相回転は、したがって、Δφ＝２πΔｆ’Δｔ＋２ｚπとなる。ここで、Δｆ’は、位相回転に関係する周波数オフセットである。
【０２５０】
あらゆる位相曖昧性を回避するために、周波数オフセット推定レンジ−１／（２Δｔ）＜Δｆ’＜１／（２Δｔ）、すなわち、−ｆｓ／Ｖ＜Δｆ’＜ｆｓ／（２Ｖ）を提供する−π＜Δφ＜πを考慮することが必要である。
【０２５１】
明らかに、Ｖが高いほど、周波数レンジは小さくなる。
【０２５２】
したがって、２つのシーケンスの最初のパルス間の位相回転が２番目のパルス間の位相回転と同じであり、２番目のパルス間の位相回転が３番目のパルス間の位相回転と同じであり、以下、同様に同じである場合に、傾きΔφを推定して、この傾きの単一の推定値を計算することができる。これは、２つの受信シーケンスのパルスが、Ｐ個のパスのチャネル
【０２５３】
【数６５】
0005208440.tif 000066
【０２５４】
によってフィルタリングされた後も引き続き同一である場合に生じる。ここで、δ（ｋ）はディラック関数である。
【０２５５】
本発明では、傾きの推定値が計算される２つのシーケンスのパルス、たとえば、２つの連続した相補シーケンスＡに重み付け符号の成分が乗算される。この乗算は、２つの受信シーケンスが、Ｐ個のパスのチャネルによってフィルタリングされた後に常に同一であるとは限らないことを含む。その結果、前の推定手法は、相補シーケンスの完全自己相関特性を使用することによって適合されることになる。
【０２５６】
本発明の一実施の形態によれば、受信信号フレームが時間同期され、場合によっては粗く周波数補正されると、時刻決定及び重み付け符号取り出しステップ５００の過程において、受信信号フレームの各パルスの位相は線形に増加する値によって補正される。この線形に増加する値の傾き
【０２５７】
【数６６】
0005208440.tif 000067
【０２５８】
は、上記少なくとも１つのアンテナＲＡＮＴｓのそれぞれについて得られたＰ個の傾き推定値
【０２５９】
【数６７】
0005208440.tif 000068
【０２６０】
の重み付け平均から推定される。この傾き
【０２６１】
【数６８】
0005208440.tif 000069
【０２６２】
の推定値は、したがって、
【０２６３】
【数６９】
0005208440.tif 000070
【０２６４】
によって得られる。ここで、
【０２６５】
【数７０】
0005208440.tif 000071
【０２６６】
は、アンテナＲＡＮＴｓのパス係数ｐの振幅を２乗したものの推定値であり、
【０２６７】
【数７１】
0005208440.tif 000072
【０２６８】
は、上記パスｐに関係する傾きの推定値である。
【０２６９】
傾きの推定値
【０２７０】
【数７２】
0005208440.tif 000073
【０２７１】
の一実施の形態によれば、推定値
【０２７２】
【数７３】
0005208440.tif 000074
【０２７３】
は、
【０２７４】
【数７４】
0005208440.tif 000075
【０２７５】
によって得られる。ここで、
【０２７６】
【数７５】
0005208440.tif 000076
【０２７７】
は、
【０２７８】
【数７６】
0005208440.tif 000077
【０２７９】
によって与えられる傾きのシーケンスごとの推定値である。ここで、ＣｌＡ，ｐ，ｓは、受信同期シーケンスのランクｌの第１の相補シーケンスから計算された第１の相関ファクタであり、ＣｌＢ，ｐ，ｓは、受信同期シーケンスのランクｌの第２の相補シーケンスから計算された第２の相関ファクタであり、φ（ＣｌＡ，ｐ，ｓ＋ＣｌＡ，ｐ，ｓ）は、第１の相関ファクタ及び第２の相関ファクタの合計の位相である。
【０２８０】
アンテナＲＡＮＴｓのパス係数ｐの振幅を２乗したものは、したがって、
【０２８１】
【数７７】
0005208440.tif 000078
【０２８２】
によって推定される。
【０２８３】
図１３は、パスｐに関係する２つの相関ファクタＣｌＡ，ｐ，ｓ及びＣｌＢ，ｐ，ｓがどのように計算されるかを示している。
【０２８４】
パスｐに関係する第１の相関ファクタＣｌＡ，ｐ，ｓ  ｌ∈｛0、…，Ｌ−１｝は、時刻ｋにおいて、第１の相補シーケンスＡのＮパルス長のセグメントから、
【０２８５】
【数７８】
0005208440.tif 000079
【０２８６】
によって計算される。
【０２８７】
パスｐに関係する第２の相関ファクタＣｌＢ，ｐ，ｓ  ｌ∈｛0、…，Ｌ−１｝は、時刻ｋにおいて、第１の相補シーケンスＢのＮパルス長のセグメントから、
【０２８８】
【数７９】
0005208440.tif 000080
【０２８９】
によって計算される。
【０２９０】
２つの相関ファクタを合計して、式（１）により与えられた相補シーケンスの完全自己相関特性を使用することにより、
【０２９１】
【数８０】
0005208440.tif 000081
【０２９２】
を得る。
【０２９３】
信号フレームが時間同期される単一のピークを運ぶストリームは、場合によっては、重み付け符号の不良な自己相関特性に起因する２次的なピークを示すことがある。これによって、単一のピークの検出エラー確率が大幅に増加する。同期方法の実施の形態の１つ又はそれらの変形の１つによれば、この問題に対処するために、同期シーケンス生成ステップ１００の過程において、Ｉ個の重み付け符号ＭＣｊに同じスクランブル符号が乗算され、単一ピーク検出ステップ３００の過程で使用されるＩ個の重み付け符号ＭＣｊにも上記スクランブル符号が乗算される。このようなスクランブルは、たとえば、既知のバーカー符号である（P. Fan, M. Darnell著「Sequence design for communications applications」, pp. 270-272, Wiley, New York, 1996）。このバーカー符号は、上記２次的なピークのノルムを、主要なピークのノルムよりもＮ倍小さくなるように抑制する。
【０２９４】
本発明の別の態様によれば、信号Ｔｓｇ（ｋ）は、複数のアンテナＴＡＮＴｓから送信される。本発明に従って同期させるための方法は、送信機ＴＲＤが、上記アンテナＴＡＮＴｓのそれぞれからわずかに異なる時間遅延で同じ信号Ｔｓｇ（ｋ）を送信することを特徴とする。
【０２９５】
そのハードウェア指向の態様の１つによれば、本発明は、電気通信システムＳＹＳＴの送信機ＴＲＤ及び受信機ＲＣＤに関する。
【０２９６】
図１４は、本発明による、同期シーケンス生成ステップ１００及びシーケンス重み付けステップ２００を実行することを目的とした送信機ＴＲＤの図式を表している。
【０２９７】
送信機ＴＲＤは、式（２）によって与えられる同期シーケンスｘｉ（ｋ）を生成し、上記生成された同期シーケンスを含む信号フレームを受信機ＲＣＤへ送信することを目的としている。同期シーケンスｘｉ（ｋ）を生成するために、送信機ＴＲＤは、一対の相補シーケンスＡ及びＢを生成するためのパルスジェネレータＳＧＭと、一対の相補シーケンス（Ａ，Ｂ）からＬ個のシーケンスＡの第１のバースト及びＬ個のシーケンスＢの第２のバーストを作り出すためのバーストクリエータＢＣと、Ｌ個のシーケンスの第１のバーストのランクｑの各相補シーケンスＡのパルスに、Ｌ個の成分の長さの重み付け符号ＭＣｉのランクｑの成分を乗算し、且つ、Ｌ個のシーケンスの第２のバーストのランクｑの各シーケンスのパルスに、上記重み付け符号ＭＣｉのランクｑの同じ成分を乗算するための乗算器ＷＧＭとを含む。
【０２９８】
バーストクリエータＢＣの一実施の形態によれば、第１の相補シーケンス又は第２の相補シーケンスのいずれかのＷビット長の巡回拡張部によって定義される少なくとも１つのガードインターバルが、同期シーケンスｘｉ（ｋ）に含まれる。上記少なくとも１つのガードインターバルが第１の相補シーケンスＡから定義されている場合に、上記少なくとも１つのガードインターバルは、Ｌ個のシーケンスの第１のバーストの開始部又は終了部のいずれかに配置され、上記少なくとも１つのガードインターバルが第２の相補シーケンスＢから定義されている場合に、上記少なくとも１つのガードインターバルは、Ｌ個のシーケンスの第２のバーストの開始部又は終了部のいずれかに配置される。
【０２９９】
乗算器ＷＧＭの一実施の形態によれば、重み付け符号ＭＣｉは、一組のＩ個の重み付け符号に属し、この一組のＩ個の重み付け符号は、高速変換を得ることができる一組の直交符号である。たとえば、各重み付け符号は、アダマール符号又はフーリエ符号である。
【０３００】
この実施の形態の一変形によれば、すべての重み付け符号ＭＣｉには、たとえばバーカー符号である同じスクランブル符号が乗算される。
【０３０１】
送信機ＴＲＤは、少なくとも１つのアンテナＴＡＮＴを装備し、このアンテナＴＡＮＴから信号Ｔｓｇ（ｋ）が送信される。送信機ＴＲＤが、本発明の一実施の形態に従って複数のアンテナＴＡＮＴを装備している場合、同じ信号Ｔｓｇ（ｋ）が、上記アンテナのそれぞれからわずかに異なる時間遅延で送信される。複数のアンテナＴＡＮＴでの送信は、受信機ＲＣＤにより実行される処理に何ら影響を与えず、その処理は上述したものと同一であることに留意されたい。
【０３０２】
図１５は、本発明による受信信号フレームを時間同期させ、場合によっては周波数補正することを目的とした受信機ＲＣＤの図式を表している。
【０３０３】
受信機ＲＣＤは、信号フレームをそれぞれ受信することを目的とした少なくとも１つのアンテナＲＡＮＴｓを装備し、上記少なくとも１つのアンテナＲＡＮＴｓのそれぞれについて、アンテナＲＡＮＴｓによって受信中の信号から少なくとも１つの結果ストリームを得るための手段ＲＳＭを含むことを特徴とする。
【０３０４】
手段ＲＳＭは、
受信信号の時間遅延されたバージョンを計算するための少なくとも１つの時間シフタＴＳＶと、
受信信号の時間遅延されたバージョンを、一対の相補シーケンス（Ａ，Ｂ）の第１の相補シーケンスＡの複製と相関させるための少なくとも１つの第１の相関器ＦＣＳ１と、
受信信号の時間遅延されたバージョンを、一対の相補シーケンス（Ａ，Ｂ）の第１の相補シーケンスＢの複製と相関させるための少なくとも１つの第２の相関器ＦＣＳ２と、
第１の相関ストリーム及び第２の相関ストリームからの結果ストリームを形成するための少なくとも１つの相関ストリーム結合器ＳＡと、
を含む。
【０３０５】
たとえば、ゴーレイ(Golay)シーケンスが使用される場合、相関器ＦＣＳ１及びＦＣＳ２は、既知の拡張ゴーレイ相関器に置き換えられる。
【０３０６】
更に、受信機ＲＣＤは、上記少なくとも１つの結果ストリームのそれぞれについて少なくとも１つの出力ストリームを得るための結果ストリーム結合器ＲＳＣと、上記少なくとも１つの出力ストリーム又は上記出力ストリームの少なくとも１つの結合したものから一時刻における少なくとも１つの判定値を計算するための手段ＤＶと、上記少なくとも１つの判定値を最大にするための手段ＤＶＭとを含む。
【０３０７】
受信機ＲＣＤの一実施の形態によれば、受信機ＲＣＤは、同じ相補シーケンスに関係する第２の相関ストリームのパルスの位相を、所定の周波数オフセット値に関係する定数値だけ周波数補正するための手段ＣＦＭ１も含む。
【０３０８】
受信機ＲＣＤの別の実施の形態によれば、受信機ＲＣＤは、所定の周波数オフセット値に関係付けられている傾きで線形に増加する値だけ、受信信号の各パルスの位相を補正するための手段ＣＦＭ２を含む。
【０３０９】
手段ＤＶの第１の実施の形態によれば、一時刻において計算された、一出力ストリームに関係する判定値は、上記時刻において評価された上記出力ストリームのノルムを２乗したものであり、一時刻において計算された、出力ストリームの結合したものに関係する判定値は、上記時刻において評価された、結合された出力ストリームのノルムを２乗したものである。
【０３１０】
手段ＤＶの第２の実施の形態によれば、一時刻において計算された、一出力ストリーム又は出力ストリームを結合したものに関係する各判定値は、上述したような相関メリット係数である。
【０３１１】
図１６ａに示す、結果ストリーム結合器ＲＳＣの一実施の形態によれば、結果ストリーム結合器ＲＳＣは、所与の時刻において、結果ストリームを、上述したような重み付け符号に関係するパルスの櫛と相関させることをそれぞれ目的とした一群の相関器ＣＯｊである。
【０３１２】
図１６ｂに示す、結果ストリーム結合器ＲＳＣの別の実施の形態によれば、重み付け符号は、高速変換を得ることができる一組の直交符号である一組のＩ個の重み付け符号に属し、結果ストリーム結合器ＲＳＣは、上記高速変換によって、Ｎ個の位置だけ互いに隔てられた結果ストリームのＬ個のパルスを処理するための手段を含む。
【０３１３】
図１６ｃに示す、結果ストリーム結合器ＲＳＣの別の実施の形態によれば、結果ストリーム結合器ＲＳＣは、上記結果ストリームの互いにＮ個の位置だけ隔てられたＬ個のパルスのエネルギーの合計の平方根を一時刻において計算するための手段を含む。
【０３１４】
受信機ＲＣＤは、この実施の形態によれば、重み付け符号取り出し器ＷＣＲを含む。この重み付け符号取り出し器ＷＣＲは、上記少なくとも１つの単一の結果ストリームのランクｑの、重み付け値によって位相回転補正及び振幅補正されたピークの合計の積から、受信信号フレームによって運ばれた重み付け符号のランクｑの成分のソフト推定値を得るための手段を含む。ランクｑのピークの位相回転及び振幅は上述したように補正される。
【０３１５】
受信機ＲＣＤの別の実施の形態によれば、受信機ＲＣＤは、傾きが、上記少なくとも１つのアンテナのそれぞれについて得られた少なくともＰ個の傾き推定値の重み付け平均から得られる、そのような傾きで線形に増加する値だけ、受信信号フレームの各パルスの位相を補正するための手段を含む。これらＰ個の傾き推定値は上述したように得られる。
【図面の簡単な説明】
【０３１６】
【図１】本発明による電気通信システムの一例の概要図式である。
【図２】本発明による、送信機によって実行されることを目的とした受信信号の信号フレームを同期させるための方法のステップを表す図である。
【図３】本発明による同期シーケンスの一例である。
【図４】マルチパス伝送チャネル上での同期シーケンスの送信である。
【図５】本発明による、受信機によって実行されることを目的とした受信信号の信号フレームを同期させるための方法のステップを表す図である。
【図６】結果ストリーム計算ステップの第１の実施の形態の図である。
【図７】結果ストリーム計算ステップの第２の実施の形態の図である。
【図８】結果ストリーム計算ステップの第３の実施の形態の図である。
【図９】出力ストリーム計算ステップの第１の実施の形態の図である。
【図１０】出力ストリーム計算ステップの第２の実施の形態の図である。
【図１１】出力ストリーム計算ステップの第３の実施の形態の図である。
【図１２】判定値の計算を示すクロノグラムである。
【図１３】相関ファクタがどのように計算されるかを示す図である。
【図１４】本発明による送信機の図式である。
【図１５】本発明による受信機の図式である。
【図１６ａ】受信機に含まれる結果ストリーム結合器の一実施の形態である。
【図１６ｂ】受信機に含まれる結果ストリーム結合器の一実施の形態である。
【図１６ｃ】受信機に含まれる結果ストリーム結合器の一実施の形態である。
【図１】
0005208440.tif 000092
【図２】
0005208440.tif 000093
【図３】
0005208440.tif 000094
【図４】
0005208440.tif 000095
【図５】
0005208440.tif 000096
【図６】
0005208440.tif 000097
【図７】
0005208440.tif 000098
【図８】
0005208440.tif 000099
【図９】
0005208440.tif 000100
【図１０】
0005208440.tif 000101
【図１１】
0005208440.tif 000102
【図１２】
0005208440.tif 000103
【図１３】
0005208440.tif 000104
【図１４】
0005208440.tif 000105
【図１５】
0005208440.tif 000106
【図１６ａ】
0005208440.tif 000107
【図１６ｂ】
0005208440.tif 000108
【図１６ｃ】
0005208440.tif 000109